(57)【要約】【課題】光量の大幅な低下を抑制する。【解決手段】制御部１６は、定格出力ＴＧのＬ（０＜Ｌ≦１）倍の目標光量の光を、複数のレーザー光源から構成されるレーザー光源群３１が出射するように、該複数のレーザー光源のうちＬに対応する個数のレーザー光源を駆動させる。【選択図】図１
2014174239.tif 000002
【特許請求の範囲】
【請求項１】
各々が、光を出射可能な複数のレーザー光源と、
前記複数のレーザー光源を制御する制御部と、を備え、
前記制御部は、前記複数のレーザー光源から構成されるレーザー光源群が出射可能な光の定格の光量である定格出力のＬ（０＜Ｌ≦１を満たす実数）倍の光量である目標光量の光を、該レーザー光源群が出射するように、前記複数のレーザー光源のうち前記Ｌに対応する個数のレーザー光源を駆動させる
レーザー光源プロジェクター。
【請求項２】
前記レーザー光源プロジェクターは、前記レーザー光源群を３組含み、
前記３組のレーザー光源群は、赤色光を出射する第１レーザー光源群と、緑色光を出射する第２レーザー光源群と、青色光を出射する第３レーザー光源群とから構成され、
前記制御部は、さらに、前記赤色光、前記緑色光および前記青色光を合成した光が予め定められたホワイトバランスを満たすように、前記第１、第２および第３レーザー光源群の各々を構成する前記複数のレーザー光源のうち前記Ｌに対応する個数のレーザー光源を駆動させる
請求項１に記載のレーザー光源プロジェクター。
【請求項３】
前記制御部は、
（ａ）前記複数のレーザー光源のうちの一部のレーザー光源を駆動させ、
（ｂ）前記複数のレーザー光源のうち該一部のレーザー光源以外のレーザー光源を駆動させない、
請求項１または２に記載のレーザー光源プロジェクター。
【請求項４】
前記制御部は、駆動している前記一部のレーザー光源において寿命がつきたレーザー光源が存在する場合、該寿命がつきたレーザー光源の代わりに、駆動させていない前記レーザー光源を駆動させる光源切替え処理を行う
請求項３に記載のレーザー光源プロジェクター。
【請求項５】
前記制御部は、前記駆動させていないレーザー光源の数に基づいて、前記光源切替え処理を繰り返し行う
請求項４に記載のレーザー光源プロジェクター。
【発明の詳細な説明】
【技術分野】
【０００１】
本発明は、複数のレーザー光源を利用したレーザー光源プロジェクターに関する。
【背景技術】
【０００２】
近年、複数のレーザー光源を用いて、映像を投射して表示するレーザー光源プロジェクターが普及しつつある。レーザー光源プロジェクターは、例えば、赤色光、緑色光および青色光を、それぞれ出射する３つのレーザー光源を用いて、画像光（映像）を投射（形成）する。以下においては、赤色光、緑色光および青色光を、それぞれ、Ｒ光、Ｇ光および、Ｂ光ともいう。
【０００３】
レーザー光源に使用されるレーザー素子の経年劣化、温度変化等により、レーザー光源の光出力特性が劣化した状態で、白色を表示する場合、Ｒ光、Ｇ光および、Ｂ光の輝度の比率にずれが生じ、ホワイトバランスが変動してしまう問題がある。当該光出力とは、光の光量（強度）である。そこで、光出力特性の変化に応じて、ホワイトバランスが適切に保たれるように補正を行う必要がある。
【０００４】
特許文献１には、ホワイトバランスを補正することによりホワイトバランスを一定に保つ技術（以下、関連技術Ａともいう）が開示されている。具体的には、関連技術Ａでは、最も劣化が進んだ光源の光出力（光量）に他の光源の光出力（光量）を揃える制御を行うことにより、全体の輝度を低下させる。これにより、ホワイトバランスを一定に保つ。
【０００５】
なお、レーザー光源は、高い温度で駆動させると寿命が低下する。そこで、レーザー光源の温度上昇を抑制する技術が重要である。特許文献２には、レーザー光源の温度上昇を抑制する技術（以下、関連技術Ｂともいう）が開示されている。具体的には、関連技術Ｂでは、レーザー光源を冷却するペルチェ素子ユニットの駆動率が所定値に達した場合、レーザー光源の光出力を下げる。
【先行技術文献】
【特許文献】
【０００６】
【特許文献１】特開２００７−０６５５７４号公報
【特許文献２】特開２０１１−１９１５２６号公報
【発明の概要】
【発明が解決しようとする課題】
【０００７】
しかしながら、関連技術Ａでは、以下の問題点がある。具体的には、関連技術Ａでは、最も劣化が進んだ光源の光出力（光量）に他の光源の光出力（光量）を揃える制御を行う。そのため、例えば、ある１つの光源に欠陥が存在していた場合、当該１つの光源の劣化の速度が非常にはやくなる。この場合、関連技術Ａを利用したレーザー光源プロジェクターが出射する光の光量が、非常に短期間で大幅に低下してしまうという問題点がある。
【０００８】
本発明は、このような問題を解決するためになされたものであり、光量の大幅な低下を抑制することが可能なレーザー光源プロジェクターを提供することを目的とする。
【課題を解決するための手段】
【０００９】
上記目的を達成するために、本発明の一態様に係るレーザー光源プロジェクターは、各々が、光を出射可能な複数のレーザー光源と、前記複数のレーザー光源を制御する制御部と、を備え、前記制御部は、前記複数のレーザー光源から構成されるレーザー光源群が出射可能な光の定格の光量である定格出力のＬ（０＜Ｌ≦１を満たす実数）倍の光量である目標光量の光を、該レーザー光源群が出射するように、前記複数のレーザー光源のうち前記Ｌに対応する個数のレーザー光源を駆動させる。
【発明の効果】
【００１０】
本発明によれば、前記制御部は、定格出力のＬ（０＜Ｌ≦１）倍の目標光量の光を、前記複数のレーザー光源から構成されるレーザー光源群が出射するように、前記複数のレーザー光源のうち前記Ｌに対応する個数のレーザー光源を駆動させる。当該定格出力は、前記複数のレーザー光源から構成されるレーザー光源群が出射可能な光の定格の光量である。
【００１１】
すなわち、レーザー光源群は、定格出力のＬ（０＜Ｌ≦１）倍の目標光量の光を出射するように駆動する。そのため、レーザー光源群の劣化速度が大幅にはやくなることを防ぐことができる。これにより、レーザー光源群が出射する光の光量の大幅な低下を抑制することができる。
【図面の簡単な説明】
【００１２】
【図１】本発明の実施の形態１に係るレーザー光源プロジェクターの構成を示すブロック図である。
【図２】本発明の実施の形態１に係る１個のレーザー光源の詳細な構成を示すブロック図である。
【図３】ホワイトバランス維持処理のフローチャートである。
【図４】ホワイトバランス維持処理Ａのフローチャートである。
【図５】光源切替え処理Ａのフローチャートである。
【図６】複数のＬＤを利用した従来の装置の経年変化におけるＬＤの電流の特性を示す図である。
【図７】本発明の実施の形態に係るレーザー光源プロジェクターの経年変化におけるＬＤの電流の特性を示す図である。
【発明を実施するための形態】
【００１３】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１４】
＜実施の形態１＞
図１は、本発明の実施の形態１に係るレーザー光源プロジェクター１００の構成を示すブロック図である。レーザー光源プロジェクター１００は、詳細は後述するが、複数のレーザー光源をマイコン等の制御部により制御する。
【００１５】
図１を参照して、レーザー光源プロジェクター１００は、制御部１６と、レーザー光源群３１Ｒ，３１Ｇ，３１Ｂと、光合成部１９と、映像形成部２０とを備える。
【００１６】
制御部１６は、レーザー光源プロジェクター１００内の各部を制御する。制御部１６は、例えば、レーザー光源群３１Ｒ，３１Ｇ，３１Ｂを制御する。制御部１６は、例えば、マイコンである。
【００１７】
レーザー光源群３１Ｒは、赤色光ＬＲ１を出射する。レーザー光源群３１Ｒは、Ｎ１（２以上の整数）個のレーザー光源３０Ｒから構成される。Ｎ１個のレーザー光源３０Ｒから、グループ（以下、Ｒグループともいう）が構成される。各レーザー光源３０Ｒは、駆動することにより、赤色光を出射する。すなわち、各レーザー光源３０Ｒは、赤色光を出射可能である。
【００１８】
なお、赤色光ＬＲ１は、詳細は後述するが、駆動しているレーザー光源３０Ｒの各々が出射する赤色光が合成された光である。以下においては、Ｎ１個のレーザー光源３０Ｒを、図１に示すように、レーザー光源３０Ｒ−１，３０Ｒ−２，・・・，３０Ｒ−Ｎ１とも表記する。
【００１９】
レーザー光源群３１Ｇは、緑色光ＬＧ１を出射する。レーザー光源群３１Ｇは、Ｎ２（２以上の整数）個のレーザー光源３０Ｇから構成される。Ｎ２個のレーザー光源３０Ｇから、グループ（以下、Ｇグループともいう）が構成される。各レーザー光源３０Ｇは、駆動することにより、緑色光を出射する。すなわち、各レーザー光源３０Ｇは、緑色光を出射可能である。
【００２０】
なお、緑色光ＬＧ１は、詳細は後述するが、駆動しているレーザー光源３０Ｇの各々が出射する緑色光が合成された光である。以下においては、Ｎ２個のレーザー光源３０Ｇを、図１に示すように、レーザー光源３０Ｇ−１，３０Ｇ−２，・・・，３０Ｇ−Ｎ２とも表記する。
【００２１】
レーザー光源群３１Ｂは、青色光ＬＢ１を出射する。レーザー光源群３１Ｂは、Ｎ３（２以上の整数）個のレーザー光源３０Ｂから構成される。Ｎ３個のレーザー光源３０Ｂから、グループ（以下、Ｂグループともいう）が構成される。各レーザー光源３０Ｂは、駆動することにより、青色光を出射する。すなわち、各レーザー光源３０Ｂは、青色光を出射可能である。
【００２２】
なお、青色光ＬＢ１は、詳細は後述するが、駆動しているレーザー光源３０Ｂの各々が出射する青色光が合成された光である。以下においては、Ｎ３個のレーザー光源３０Ｂを、図１に示すように、レーザー光源３０Ｂ−１，３０Ｂ−２，・・・，３０Ｂ−Ｎ３とも表記する。
【００２３】
以下においては、レーザー光源群３１Ｒ，３１Ｇ，３１Ｂの各々を、単に、レーザー光源群３１とも表記する。すなわち、レーザー光源プロジェクター１００は、３組のレーザー光源群３１を含む。当該３組のレーザー光源群３１は、レーザー光源群３１Ｒ，３１Ｇ，３１Ｂから構成される。
【００２４】
また、以下においては、レーザー光源３０Ｒ，３０Ｇ，３０Ｂの各々を、単に、レーザー光源３０とも表記する。すなわち、レーザー光源群３１Ｒは、Ｎ１個のレーザー光源３０から構成される。また、レーザー光源群３１Ｇは、Ｎ２個のレーザー光源３０から構成される。レーザー光源群３１Ｂは、Ｎ３個のレーザー光源３０から構成される。すなわち、レーザー光源プロジェクター１００に含まれる３組のレーザー光源群３１の各々は、複数のレーザー光源３０から構成される。なお、レーザー光源プロジェクター１００は、Ｍ（２以上の整数）個のレーザー光源３０を含む。Ｍは、以下の式１で表される。
【００２５】
Ｍ＝Ｎ１＋Ｎ２＋Ｎ３  ・・・（式１）
光合成部１９は、光を合成する機能を有する。光合成部１９は、光ファイバー、ミラー等により構成される。光合成部１９は、赤色光ＬＲ１、緑色光ＬＧ１および青色光ＬＢ１を合成した光Ｌ１ａを生成する。そして、光合成部１９は、当該光Ｌ１ａを出射する。
【００２６】
レーザー光源プロジェクター１００において、駆動している全てのレーザー光源３０の各々に含まれる後述のレーザー素子５が劣化していない場合における光Ｌ１ａは、基準ホワイトバランスを満たす白色光である。基準ホワイトバランスとは、予め定められたホワイトバランスである。基準ホワイトバランスは、レーザー光源プロジェクター１００が使用する光Ｌ１ａの色が、規定の白（例えば、純白）となるようなホワイトバランスである。すなわち、基準ホワイトバランスは、レーザー光源プロジェクター１００に最も適したホワイトバランスである。なお、前述の駆動しているレーザー光源３０とは、発光（駆動）している後述のレーザー素子５を含むレーザー光源３０である。
【００２７】
映像形成部２０は、表示素子、映像回路等から構成される。当該表示素子は、例えば、液晶素子、ＤＭＤ（Digital Micromirror Device）等である。映像形成部２０は、光Ｌ１ａと、外部から受信する映像信号（図示せず）とに基づいて、光により形成される映像（以下、映像光ともいう）を形成する。そして、映像形成部２０は、映像光を、図示しないスクリーン等に投写する。
【００２８】
本実施の形態では、各レーザー光源群３１に含まれる全てのレーザー光源３０の全部または一部を駆動させる。以下、具体的に説明する。
【００２９】
各レーザー光源３０には、当該レーザー光源３０が出射可能な光の定格の光量である定格出力Ｔが定められている。定格出力Ｔは、レーザー光源３０の劣化速度をはやめることなく、レーザー光源３０が正常に動作するために予め定められた値である。
【００３０】
また、各レーザー光源群３１には、当該レーザー光源群３１が出射可能な光の定格の光量である定格出力ＴＧが定められている。定格出力ＴＧは、レーザー光源群３１の劣化速度をはやめることなく、レーザー光源群３１が正常に動作するために予め定められた値である。定格出力ＴＧは、定格出力Ｔに、レーザー光源群３１を構成するレーザー光源３０の数を乗算した値である。例えば、レーザー光源群３１Ｒの定格出力ＴＧは、定格出力Ｔに、Ｎ１を乗算した値である。
【００３１】
本実施の形態では、複数のレーザー光源３０から構成されるレーザー光源群３１Ｒ，３１Ｇ，３１Ｂの各々は、定格出力ＴＧのＬ（０＜Ｌ≦１を満たす実数）倍の光量を出射するように構成される。以下においては、定格出力ＴＧのＬ倍の光量を、目標光量ともいう。Ｌは１以下の係数である。係数Ｌは、例えば、Ｋ（自然数）／１００で表現される。以下においては、レーザー光源３０（レーザー光源群３１）が出射する光の光量を、出射光量または光出力ともいう。
【００３２】
また、本実施の形態では、各レーザー光源群３１を構成する複数のレーザー光源３０が全て駆動している場合、基準ホワイトバランスを満たす光を得るために、各レーザー光源群３１が出射する光（例えば、赤色光ＬＲ１）の光量を、該レーザー光源群３１を構成するレーザー光源３０の個数で除算した値が、定格出力Ｔとなるように設定される。
【００３３】
本実施の形態のレーザー光源プロジェクター１００では、例えば、各レーザー光源群３１が、定格出力ＴＧのＫ％（Ｌ倍）の光量の光を出射する構成とする。また、係数Ｌは、Ｋ／１００で表現されるとする。
【００３４】
レーザー光源プロジェクター１００の制御部１６は、要約すれば、前述の目標光量の光を、レーザー光源群３１が出射するように、該レーザー光源群３１を構成する複数のレーザー光源３０のうち係数Ｌに対応する個数のレーザー光源を駆動させる。
【００３５】
ここで、各レーザー光源群３１が目標光量の光を出射するという条件を、条件Ａとする。この場合、具体的には、制御部１６は、条件Ａを満たしつつ、さらに、前述の光Ｌ１ａが基準ホワイトバランスを満たすように、レーザー光源群３１Ｒ，３１Ｇ，３１Ｂの各々を構成する複数のレーザー光源３０のうち係数Ｌに対応する個数のレーザー光源３０を駆動させる。当該係数Ｌに対応する個数とは、各レーザー光源群３１を構成するレーザー光源３０の数に、係数Ｌ（すなわち、Ｋ／１００）を乗算した値（数）である。
【００３６】
なお、好ましくは、当該係数Ｌに対応する個数とは、各レーザー光源群３１を構成するレーザー光源３０の数に、係数Ｌを乗算した値（数）よりも大きい値（数）である。係数Ｌに対応する個数は、以下のＮａ１，Ｎａ２，Ｎａ３等である。Ｎａ１は、Ｎ１未満の整数である。Ｎａ２は、Ｎ２未満の整数である。Ｎａ３は、Ｎ３未満の整数である。
【００３７】
この場合、レーザー光源群３１Ｒ（Ｒグループ）において制御部１６が駆動させるレーザー光源３０Ｒの個数Ｎａ１は、Ｎ１×Ｋ／１００により算出される値である。なお、好ましくは、個数Ｎａ１は、Ｎ１×Ｋ／１００により算出される値よりも大きい値である。また、レーザー光源群３１Ｇ（Ｇグループ）において制御部１６が駆動させるレーザー光源３０Ｇの個数Ｎａ２は、Ｎ２×Ｋ／１００により算出される値である。なお、好ましくは、個数Ｎａ２は、Ｎ２×Ｋ／１００により算出される値よりも大きい値である。
【００３８】
また、レーザー光源群３１Ｂ（Ｂグループ）において制御部１６が駆動させるレーザー光源３０Ｂの個数Ｎａ３は、Ｎ３×Ｋ／１００により算出される値である。なお、好ましくは、個数Ｎａ３は、Ｎ３×Ｋ／１００により算出される値よりも大きい値である。
【００３９】
なお、Ｎ１×Ｋ／１００により算出される値が整数でない場合、算出された値の少数点以下の値を切り上げた値がＮａ１に設定される。Ｎａ２，Ｎａ３の各々も、Ｎａ１と同様に、前述の対応する式により算出される値が整数でない場合、算出された値の小数点以下の値を切り上げた値が設定される。
【００４０】
また、本実施の形態では、係数Ｌが１未満の場合、レーザー光源プロジェクター１００の制御部１６は、各レーザー光源群３１を構成する複数のレーザー光源３０のうちの一部のレーザー光源３０を駆動させ、当該複数のレーザー光源のうち該一部のレーザー光源３０以外のレーザー光源３０を駆動させない。
【００４１】
具体的には、係数Ｌが１未満の場合、制御部１６は、レーザー光源群３１Ｒにおいて（Ｎ１−Ｎａ１）個のレーザー光源３０Ｒを駆動させない。すなわち、（Ｎ１−Ｎａ１）個のレーザー光源３０Ｒは、赤色光を出射しない。また、係数Ｌが１未満の場合、制御部１６は、レーザー光源群３１Ｇにおいて（Ｎ２−Ｎａ２）個のレーザー光源３０Ｇを駆動させない。すなわち、（Ｎ２−Ｎａ２）個のレーザー光源３０Ｇは、緑色光を出射しない。また、係数Ｌが１未満の場合、制御部１６は、レーザー光源群３１Ｂにおいて（Ｎ３−Ｎａ３）個のレーザー光源３０Ｂを駆動させない。すなわち、（Ｎ３−Ｎａ３）個のレーザー光源３０Ｂは、青色光を出射しない。
【００４２】
次に、レーザー光源３０の詳細な構成について説明する。図２は、本発明の実施の形態１に係る１個のレーザー光源３０の詳細な構成を示すブロック図である。
【００４３】
レーザー光源３０は、マイコン４１と、電源２と、レーザー駆動回路３と、レーザー素子５と、ハーフミラー１２と、光量検出回路１０と、ペルチェ素子６と、ヒートパイプ７と、ラジエター８と、ファン９と、ＡＤコンバータ１１，１４と、温度検出回路１３と、ＤＡコンバータ１５と、ペルチェ駆動回路４とを備える。
【００４４】
レーザー素子５は、光を出射する素子である。レーザー素子５は、例えば、半導体レーザー素子である。前述したように、各レーザー光源３０には、定格出力Ｔが定められている。すなわち、レーザー光源３０に含まれるレーザー素子５には、定格出力Ｔが定められている。以下においては、レーザー光源３０に含まれるレーザー素子５が出射する光の光量を、出射光量または光出力ともいう。
【００４５】
レーザー駆動回路３は、マイコン４１の制御にしたがった駆動電流IＤをレーザー素子５に流す制御を行うことによりレーザー素子５を駆動（発光）させる。駆動しているレーザー素子５には、印加される駆動電圧に応じた駆動電流IＤが流れる。マイコン４１は、レーザー駆動回路３に指示した駆動電圧に対応する駆動電流IＤを常に把握している。
【００４６】
ハーフミラー１２は、レーザー素子５が出射した光の大部分を反射させ、レーザー出力光として、レーザー光源３０の外部へ導く。すなわち、レーザー光源３０は、光（レーザー出力光）を出射する。また、ハーフミラー１２は、レーザー素子５が出射した光の一部を、光量検出回路１０へ導く。これにより、光量検出回路１０は、レーザー出力光の強さに比例した光をうける（検出する）。
【００４７】
ペルチェ素子６は、レーザー素子５が発する熱を冷却するように配置される。ペルチェ素子６は、該ペルチェ素子６の吸熱面（冷却面）がレーザー素子５と当接するように配置される。ペルチェ素子６の放熱面は、ヒートパイプ７を介して、ラジエター８と熱的に結合されている。これにより、ペルチェ素子６の放熱面の熱は、ヒートパイプ７を介しラジエター８に伝わる。ファン９は、ラジエター８の熱を外部に排熱する風を発生させる。
【００４８】
レーザー素子５が発する熱の一部は、ペルチェ素子６およびヒートパイプ７を介して、ラジエター８に伝達する。ラジエター８に伝達した熱は、ファン９により、レーザー光源３０の外部へ排熱される。
【００４９】
光量検出回路１０は、当該光量検出回路１０に照射された光の光量を検出し、当該検出した光量から、レーザー素子５が出射する光の光量（出射光量）を検出する。以下においては、レーザー素子５が出射する光の光量を、素子光量または出射光量ともいう。光量検出回路１０に照射される光の光量とレーザー素子５が出射する光の光量との比率は予め決まった値（例えば、１：９）である。そのため、光量検出回路１０は、照射された光の光量から、レーザー素子５が出射する光の素子光量を検出することができる。
【００５０】
また、光量検出回路１０は、素子光量を示す光量信号（アナログ信号）をＡＤコンバータ１１へ送信する。ＡＤコンバータ１１は、光量信号（アナログ信号）をＡＤ変換することにより、データとして示される素子光量を取得する。そして、ＡＤコンバータ１１は、当該素子光量を、マイコン４１へ送信する。
【００５１】
温度検出回路１３は、レーザー素子５に熱的に接続される。温度検出回路１３は、レーザー素子５の温度（以下、素子温度Ｔｊともいう）を検出する。素子温度Ｔｊは、例えば、ジャンクション温度である。具体的には、温度検出回路１３は、レーザー素子５の温度を常時検出しており、素子温度Ｔｊを示す温度信号（アナログ信号）をＡＤコンバータ１４へ送信する。ＡＤコンバータ１４は、温度信号（アナログ信号）をＡＤ変換することにより、温度データとして示される、素子温度Ｔｊを取得する。そして、ＡＤコンバータ１４は、当該素子温度Ｔｊを、マイコン４１へ送信する。
【００５２】
マイコン４１は、レーザー出力光の光量（強さ）が常に一定になるように、レーザー駆動回路３（駆動電流IＤ）を制御する。すなわち、マイコン４１は、レーザー素子５の出射光量（光出力）が後述の目標値ＰＤとなるようにレーザー駆動回路３を制御する。マイコン４１は、常に、最新の目標値ＰＤを記憶している。
【００５３】
具体的には、マイコン４１は、レーザー駆動回路３がレーザー素子５に流す電流を、レーザー駆動回路３に指示する。また、マイコン４１は、レーザー素子５の素子温度Ｔｊが常に概ね一定になるように、ＤＡコンバータ１５を介して、ペルチェ駆動回路４を制御する。
【００５４】
ペルチェ駆動回路４は、電源２から所定の電力を受ける。レーザー駆動回路３は、ＤＣ−ＤＣコンバータとして機能する。ペルチェ駆動回路４は、マイコン４１の制御に従い、電源２から受けた所定の電力を利用して、温度検出回路１３により検出される素子温度Ｔｊが所定の目標温度になるように、ペルチェ素子６を駆動させる。
【００５５】
レーザー出力光の光量を変化させる場合、マイコン４１は、光量検出回路１０が検出する光量の目標値ＰＤを変更する。
【００５６】
また、マイコン４１は、図１の制御部１６と通信を行う。制御部１６は、レーザー光源プロジェクター１００に含まれる各レーザー光源３０のマイコン４１に指示を与えることにより、各レーザー光源３０を制御する。すなわち、制御部１６は、レーザー光源プロジェクター１００に含まれる複数のレーザー光源３０を制御する。
【００５７】
次に、レーザー光源プロジェクター１００が行う処理について説明する。
【００５８】
前述したように、レーザー光源プロジェクター１００の制御部１６は、要約すれば、前述の目標光量の光を、レーザー光源群３１が出射するように、該レーザー光源群３１を構成する該複数のレーザー光源３０のうち係数Ｌに対応する個数のレーザー光源を駆動させる。
【００５９】
具体的には、前述したように、制御部１６は、条件Ａを満たしつつ、さらに、前述の光Ｌ１ａが基準ホワイトバランスを満たすように、レーザー光源群３１Ｒ，３１Ｇ，３１Ｂの各々を構成する複数のレーザー光源３０のうち係数Ｌに対応する個数のレーザー光源３０を駆動させる。
【００６０】
また、前述したように、係数Ｌが１未満の場合、レーザー光源プロジェクター１００の制御部１６は、各レーザー光源群３１を構成する複数のレーザー光源３０のうちの一部のレーザー光源３０を駆動させ、当該複数のレーザー光源のうち該一部のレーザー光源３０以外のレーザー光源３０を駆動させない。以下においては、レーザー素子５を、単に、ＬＤともいう。
【００６１】
次に、係数Ｌが１である場合におけるレーザー光源プロジェクター１００が行う処理（以下、ホワイトバランス維持処理ともいう）を詳細に説明する。係数Ｌが１である場合、レーザー光源群３１Ｒ，３１Ｇ，３１Ｂの各々を構成する全てのレーザー光源３０が駆動する。また、初期状態では、各レーザー光源３０のＬＤの出射光量が定格出力Ｔとなるように、当該ＬＤの駆動電流が調整されている。
【００６２】
図３は、ホワイトバランス維持処理のフローチャートである。ホワイトバランス維持処理では、以下の状態ＳＴ１，ＳＴ２，ＳＴ３における処理を示す。
【００６３】
状態ＳＴ１は、レーザー光源群３１Ｒ，３１Ｇ，３１Ｂの各々における全てのレーザー光源３０に含まれるＬＤが劣化していない状態である。なお、例えば、定格出力Ｔの約１００％の光量の光を出射可能な駆動レーザー素子を、劣化していないＬＤとする。
【００６４】
また、状態ＳＴ１では、各レーザー光源群３１の出射光量が、前述の目標光量である状態である。前述したように、目標光量は、定格出力ＴＧのＬ倍の光量である。以下においては、各レーザー光源群３１の出射光量が目標光量である状態において、該レーザー光源群３１において駆動しているレーザー光源３０（ＬＤ）の各々が出射する光量の目標値を、目標値ＰＤともいう。
【００６５】
レーザー光源群３１において駆動している全てのレーザー光源３０（ＬＤ）の個数を、目標値ＰＤに乗算した値が、該レーザー光源群３１の目標光量となるように、目標値ＰＤの初期値は設定される。また、目標値ＰＤは、定格出力Ｔ以下に設定される。各レーザー光源群３１を構成する各レーザー光源３０のマイコン４１は、以上のように設定された目標値ＰＤを予め記憶している。
【００６６】
状態ＳＴ２は、出射光量の最大値が定格出力Ｔ以下に低下したＬＤが存在する状態である。また、状態ＳＴ２は、１個以上の後述の飽和ＬＤが存在し、当該飽和ＬＤの出射光量が低下している状態である。状態ＳＴ２では、低下した光量を補正する処理が行われる。
【００６７】
状態ＳＴ３は、ＬＤの一時的な出射光量（光出力）の低下により、各レーザー光源群３１全体の出射光量が下げられた状態である。状態ＳＴ３では、各レーザー光源群３１の出射光量を向上させる処理が行われる。
【００６８】
ＬＤには、当該ＬＤ自体の劣化による発光効率の低下、ＬＤの温度上昇による出射光量（光出力）の低下が起こる。ＬＤの劣化が進行した状態、または、一時的なＬＤの温度上昇により発光効率が低下した状態において、一定の出射光量（光出力）を維持するためには、ＬＤに流れる駆動電流IＤを増加させる必要がある。
【００６９】
しかし、ＬＤの駆動電流IＤを増加させていくと、当該ＬＤの温度上昇により、限界電流（IＤＭＡＸ）に達する。限界電流IＤＭＡＸは、ＬＤが流すことが出来る最大の駆動電流である。すなわち、駆動電流IＤが限界電流IＤＭＡＸに達した場合、当該駆動電流IＤをさらに増加させることはできない。
【００７０】
ＬＤの駆動電流IＤが限界電流IＤＭＡＸに達した状態は、当該ＬＤの状態が飽和状態である。飽和状態のＬＤは、発光効率が低下し、出射光量の最大値が定格出力Ｔ未満となる。つまり、ＬＤの駆動電流IＤを増加させていくと、当該ＬＤの状態が飽和状態になり、出射光量が低下するという問題が生じる。この場合、状態ＳＴ２における後述の処理が行われる。
【００７１】
以下においては、駆動電流IＤが限界電流IＤＭＡＸ以上であり、かつ、出射光量の最大値が定格出力Ｔ未満のＬＤを、飽和ＬＤともいう。すなわち、飽和ＬＤは、劣化したＬＤである。また、飽和ＬＤは、飽和状態のＬＤでもある。以下においては、ＬＤの状態が飽和状態でない当該ＬＤを、通常ＬＤともいう。
【００７２】
レーザー光源プロジェクター１００に含まれる各レーザー光源３０のマイコン４１は、当該レーザー光源３０に含まれる各レーザー素子５（ＬＤ）の限界電流IＤＭＡＸを予め記憶している。具体的には、マイコン４１はＭ個のレーザー素子５（レーザー光源３０）にそれぞれ対応するＭ個の限界電流IＤＭＡＸを記憶している。
【００７３】
より詳細には、マイコン４１は、各レーザー素子５と、各限界電流IＤＭＡＸとを対応づけて記憶している。例えば、マイコン４１は、レーザー光源３０Ｇ−１と、該レーザー光源３０Ｇ−１に含まれるレーザー素子５の限界電流IＤＭＡＸとを対応づけて記憶している。
【００７４】
レーザー素子５に限界電流IＤＭＡＸが流れた場合、当該レーザー素子５の出射光量は、最大となる。前述したように、各レーザー光源３０のマイコン４１は、駆動電流IＤを常に把握している。以下においては、限界電流IＤＭＡＸにより駆動するレーザー素子５の出射光量を、最大出射光量ともいう。
【００７５】
また、以下においては、図１の光合成部１９が出射する光Ｌ１ａの光量を、全体光量とも表記する。光Ｌ１ａは、前述したように、赤色光ＬＲ１、緑色光ＬＧ１および青色光ＬＢ１を合成した光である。また、以下においては、全体光量の目標値を、全体光量目標値Ｐｗとも表記する。
【００７６】
次に、図３を用いて、状態ＳＴ１の場合の処理について説明する。
【００７７】
まず、ステップＳ１０１の処理が行われる。ステップＳ１０１では、ＬＤ状態取得処理が行われる。ＬＤ状態取得処理では、制御部１６が、Ｒ，Ｇ，Ｂグループの各々を構成する各レーザー光源３０のマイコン４１へ、状態要求指示を送信する。状態要求指示は、ＬＤの状態を要求するための指示である。
【００７８】
状態要求指示を受信した全てのマイコン４１の各々は、以下の処理を行う。具体的には、マイコン４１は、当該マイコン４１に対応するＬＤの駆動電流IＤが当該マイコン４１が記憶している限界電流IＤＭＡＸ以上であるか否かを判定する。駆動電流IＤが限界電流IＤＭＡＸ以上である場合、マイコン４１は、ＬＤが飽和状態である旨を示す飽和状態通知を、制御部１６へ送信する。
【００７９】
制御部１６は、飽和状態通知を受信した場合、当該飽和状態通知を送信したマイコン４１を含むレーザー光源３０を特定することにより、当該特定したレーザー光源３０が、飽和ＬＤを含むと判定する。これにより、制御部１６は、当該特定したレーザー光源３０がが、Ｒ，Ｇ，Ｂグループのいずれに含まれるか特定する。すなわち、制御部１６は、特定したレーザー光源３０に含まれる飽和ＬＤが、Ｒ，Ｇ，Ｂグループのいずれに含まれるか特定する。
【００８０】
すなわち、制御部１６は、１以上の飽和状態通知の受信により、飽和ＬＤの全ての個数、Ｒ，Ｇ，Ｂグループの各々における飽和ＬＤの個数を把握する。
【００８１】
以下においては、レーザー光源プロジェクター１００における全ての飽和ＬＤの個数を、ＡＸとも表記する。また、以下においては、Ｒグループにおける飽和ＬＤの個数を、Ａ１とも表記する。また、以下においては、Ｇグループにおける飽和ＬＤの個数を、Ａ２とも表記する。また、以下においては、Ｂグループにおける飽和ＬＤの個数を、Ａ３とも表記する。また、以下においては、Ａ１，Ａ２，Ａ３の各々を、総括的に、Ａｎ（ｎ＝１〜３）とも表記する。
【００８２】
すなわち、ＬＤ状態取得処理により、制御部１６は、個数ＡＸ，Ａ１，Ａ２，Ａ３を把握するとともに、個数ＡＸが１以上である場合、飽和ＬＤを含むレーザー光源３０を特定する。
【００８３】
次に、ステップＳ１０２において、制御部１６は、飽和ＬＤの個数ＡＸがゼロ（０）であるか否かを判定する。ステップＳ１０２においてＹＥＳならば、処理はステップＳ１１０Ｒに移行する。一方、ステップＳ１０２においてＮＯならば、処理はステップＳ１０３に移行する。
【００８４】
状態ＳＴ１では、飽和ＬＤの個数ＡＸがゼロであるので（Ｓ１０２でＹＥＳ）、処理はステップＳ１０３に移行する。
【００８５】
ステップＳ１０３では、レーザー光源プロジェクター１００の状態が、全体光量低下状態であるか否かを判定する。全体光量低下状態とは、後述の全体光量低下処理により、全体光量目標値Ｐｗ（全体光量）が低下された状態である。
【００８６】
ステップＳ１０３においてＹＥＳならば、処理は後述のステップＳ１０４に移行する。一方、ステップＳ１０３においてＮＯならば、再度、ステップＳ１０１の処理が行われる。
【００８７】
状態ＳＴ１では、ステップＳ１０３でＮＯと判定され、再度、ステップＳ１０１の処理が行われる。
【００８８】
次に、状態ＳＴ２の場合の処理について説明する。状態ＳＴ２は、前述したように、１個以上の飽和ＬＤが存在し、当該飽和ＬＤの出射光量が低下している状態である。
【００８９】
状態ＳＴ２では、まず、前述のステップＳ１０１，Ｓ１０２が行われる。状態ＳＴ２では、ステップＳ１０２でＹＥＳと判定され、処理はステップＳ１１０Ｒに移行する。
【００９０】
以下においては、Ｒグループに含まれる飽和ＬＤを、飽和ＬＤ−１とも表記する。また、以下においては、Ｇグループに含まれる飽和ＬＤを、飽和ＬＤ−２とも表記する。また、以下においては、Ｂグループに含まれる飽和ＬＤを、飽和ＬＤ−３とも表記する。また、以下においては、飽和ＬＤ−１，ＬＤ−２，ＬＤ−３の各々を、総括的に、飽和ＬＤ−ｎ（ｎ＝１〜３）とも表記する。
【００９１】
ステップＳ１１０Ｒでは、制御部１６が、最新の個数Ａｎに基づいて、飽和ＬＤがＲグループに存在するか否かを判定する。すなわち、制御部１６が、飽和ＬＤ−ｎが存在するか否かを判定する。なお、ステップＳ１１０Ｒにおいて、Ａｎおよび飽和ＬＤ−ｎのｎは１である。
【００９２】
制御部１６は、Ａｎが１以上である場合、飽和ＬＤがＲグループに存在すると判定する。一方、制御部１６は、Ａｎが０である場合、飽和ＬＤがＲグループに存在しないと判定する。ステップＳ１１０ＲにおいてＹＥＳならば、処理はステップＳ１１１Ｒに移行する。一方、ステップＳ１１０ＲにおいてＮＯならば、処理は後述のステップＳ１１０Ｇに移行する。
【００９３】
ここで、状態ＳＴ２は、Ｒグループに飽和ＬＤ−ｎが含まれる状態であるとする。この場合、処理はステップＳ１１１Ｒに移行する。
【００９４】
以下においては、Ｒグループを構成する各ＬＤのうち過去に飽和状態になったＬＤの個数を、Ｂ１とも表記する。また、以下においては、Ｇグループを構成する各ＬＤのうち過去に飽和状態になったＬＤの個数を、Ｂ２とも表記する。また、以下においては、Ｂグループを構成する各ＬＤのうち過去に飽和状態になったＬＤの個数を、Ｂ３とも表記する。また、以下においては、Ｂ１，Ｂ２，Ｂ３の各々を、総括的に、Ｂｎ（ｎ＝１〜３）とも表記する。なお、Ｂｎの初期値は０である。
【００９５】
ステップＳ１１１Ｒでは、目標値低下処理Ｒが行われる。目標値低下処理Ｒは、飽和ＬＤ−ｎの出射光量の目標値ＰＤを、当該ＰＤのＸ（％）だけ低下させる処理である。目標値ＰＤは、マイコン４１が記憶している。なお、ステップＳ１１１Ｒにおいて、飽和ＬＤ−ｎのｎは１である。
【００９６】
以下においては、ＰＤ×Ｘ／１００で得られる値を、固定値ＸＡともいう。すなわち、目標値低下処理Ｒは、飽和ＬＤ−ｎの出射光量の目標値ＰＤを固定値ＸＡだけ低下させる処理である。
【００９７】
具体的には、目標値低下処理Ｒでは、制御部１６が、光量低下指示を、飽和ＬＤ−ｎを含む全てのレーザー光源３０のマイコン４１へ送信する。光量低下指示とは、飽和ＬＤ−ｎの目標値ＰＤを、当該ＰＤのＸ（％）だけ低下させる指示である。光量低下指示には、Ｘが示される。Ｘは、例えば、４である。
【００９８】
光量低下指示を受信した全てのマイコン４１の各々は、以下の処理を行う。具体的には、マイコン４１は、当該マイコン４１が記憶している目標値ＰＤに、光量低下指示が示すＸと、１／１００とを乗算することにより、固定値ＸＡを算出する。そして、マイコン４１は、当該マイコン４１が記憶している目標値ＰＤから固定値ＸＡだけ減算した値を、最新の目標値ＰＤとして記憶する。以下においては、マイコン４１が記憶している最新の目標値ＰＤを、最新目標値ＰＤともいう。
【００９９】
そして、マイコン４１は、該マイコン４１に対応する飽和ＬＤ−ｎ（レーザー素子５）の出射光量が、当該最新目標値ＰＤになるようにレーザー駆動回路３を制御する。具体的には、マイコン４１は、レーザー駆動回路３が飽和ＬＤ−ｎに流す駆動電流IＤを変化させるように当該レーザー駆動回路３を制御する。これにより、飽和ＬＤ−ｎの出射光量が低下する。すなわち、飽和ＬＤ−ｎに流れる電流がIＤＭＡＸ未満となり、当該飽和ＬＤ−ｎの状態は、飽和状態でなくなる。これにより、出射光量が低下した飽和ＬＤ−ｎは、通常ＬＤとなる。
【０１００】
なお、飽和ＬＤ−ｎの数が、例えば、５である場合、光量低下指示を受信した５個のマイコン４１の各々が、上記の処理を並行する。そして、この目標値低下処理Ｒは終了する。
【０１０１】
以下においては、過去から現在にわたって、一度も飽和状態になったことのないＬＤを、非飽和ＬＤともいう。非飽和ＬＤは、例えば、ステップＳ１０１の処理が行われる時点（現在）においても、飽和状態でないＬＤである。
【０１０２】
以下においては、Ｒグループに含まれる非飽和ＬＤを、非飽和ＬＤ−１とも表記する。また、以下においては、Ｇグループに含まれる非飽和ＬＤを、非飽和ＬＤ−２とも表記する。また、以下においては、Ｂグループに含まれる非飽和ＬＤを、非飽和ＬＤ−３とも表記する。また、以下においては、非飽和ＬＤ−１，ＬＤ−２，ＬＤ−３の各々を、総括的に、非飽和ＬＤ−ｎ（ｎ＝１〜３）とも表記する。
【０１０３】
また、以下においては、非飽和ＬＤ−１の目標値ＰＤを増加させる割合を、Ｚ１（％）とも表記する。また、以下においては、非飽和ＬＤ−２の目標値ＰＤを増加させる割合を、Ｚ２（％）とも表記する。また、以下においては、非飽和ＬＤ−３の目標値ＰＤを増加させる割合を、Ｚ３（％）とも表記する。また、以下においては、Ｚ１，Ｚ２，Ｚ３の各々を、総括的に、Ｚｎ（ｎ＝１〜３）とも表記する。
【０１０４】
ステップＳ１１２Ｒでは、目標値増加処理Ｒが行われる。目標値増加処理Ｒは、非飽和ＬＤ−ｎの出射光量の目標値ＰＤを、当該ＰＤのＺｎ（％）だけ増加させる処理である。なお、ステップＳ１１２Ｒにおいて、非飽和ＬＤ−ｎのｎは１である。
【０１０５】
以下においては、ＰＤ×Ｚｎ／１００で得られる値を、固定値ＸＢともいう。すなわち、目標値増加処理Ｒは、非飽和ＬＤ−ｎの出射光量の目標値ＰＤを固定値ＸＢだけ増加させる処理である。
【０１０６】
Ｚｎは、以下の式２により算出される。なお、ステップＳ１１２Ｒにおいて、以下の式２のｎは１である。
【０１０７】
Ｚｎ＝Ｘ×Ａｎ／［Ｎｎ−（Ａｎ＋Ｂｎ）］（ｎ＝１〜３）・・・（式２）
具体的には、目標値増加処理Ｒでは、制御部１６が、前述の式２より、Ｚｎを算出する。そして、制御部１６は、光量増加指示を、非飽和ＬＤ−ｎを含む全てのレーザー光源３０のマイコン４１へ送信する。光量増加指示は、最新の全ての非飽和ＬＤ−ｎの各々の出射光量の目標値ＰＤを、当該ＰＤのＺｎ（％）だけ増加させる指示である。光量増加指示には、算出されたＺｎが示される。
【０１０８】
光量増加指示を受信した全てのマイコン４１の各々は、以下の光量増加処理を行う。光量増加処理では、マイコン４１が、当該マイコン４１が記憶している目標値ＰＤに、光量増加指示が示すＺｎと、１／１００とを乗算することにより、固定値ＸＢを算出する。
【０１０９】
次に、マイコン４１は、当該マイコン４１が記憶している目標値ＰＤに固定値ＸＢを加算した値を、最新の目標値ＰＤとして記憶する。なお、目標値ＰＤに固定値ＸＢを加算した値が、前述の定格出力Ｔ以上である場合、最新の目標値ＰＤは、定格出力Ｔに設定される。
【０１１０】
すなわち、目標値ＰＤの上限値は、定格出力Ｔである。非飽和ＬＤ−ｎに流れる電流値の上限値は、IＤＭＡＸである。
【０１１１】
そして、マイコン４１は、該マイコン４１に対応する非飽和ＬＤ−ｎ（レーザー素子５）の出射光量が、当該最新目標値ＰＤになるようにレーザー駆動回路３を制御する。具体的には、マイコン４１は、レーザー駆動回路３が非飽和ＬＤ−ｎに流す駆動電流IＤを変化させるように当該レーザー駆動回路３を制御する。これにより、非飽和ＬＤ−ｎの出射光量が増加する。以上により、光量増加処理（目標値増加処理Ｒ）が終了する。
【０１１２】
以下においては、目標値増加処理Ｒが行われた直後に、Ｒグループにおいて新たに飽和状態となったＬＤの数を、Ｃ１とも表記する。また、以下においては、後述の目標値増加処理Ｇが行われた直後に、Ｇグループにおいて新たに飽和状態となったＬＤの数を、Ｃ２とも表記する。また、以下においては、後述の目標値増加処理Ｂが行われた直後に、Ｂグループにおいて新たに飽和状態となったＬＤの数を、Ｃ３とも表記する。また、以下においては、Ｃ１，Ｃ２，Ｃ３の各々を、総括的に、Ｃｎ（ｎ＝１〜３）とも表記する。
【０１１３】
ステップＳ１１３Ｒでは、制御部１６が、現時点のＣ１が０であるか否かを判定する。ステップＳ１１３Ｒにおいて、ＹＥＳならば処理はステップＳ１１０Ｇに移行する。一方、ステップＳ１１３Ｒにおいて、ＮＯならば処理はステップＳ１１４Ｒに移行する。
【０１１４】
ステップＳ１１４Ｒでは、制御部１６が、現時点のＡｎ，Ｂｎ，Ｃｎを用いて、以下の式３が満たされるか否かを判定する。なお、ステップＳ１１４ＲにおけるＮｎ，Ａｎ，Ｂｎ，Ｃｎのｎは、１である。
【０１１５】
Ｎｎ＝Ａｎ＋Ｂｎ＋Ｃｎ（ｎ＝１〜３）  ・・・（式３）
ステップＳ１１４Ｒにおいて、ＹＥＳならば、処理は後述のステップＳ１２０に移行する。一方、ステップＳ１１４ＲにおいてＮＯならば、制御部１６により、以下の処理が行われる。ここで、現時点のＡｎ，Ｂｎ，Ｃｎを、それぞれ、Ａｎ（０）、Ｂｎ（０）、Ｃｎ（０）と表現する。この場合、Ａｎ＝Ｃｎ（０）、Ｂｎ＝Ａｎ（０）＋ Ｂｎ（０）と置き換えられる。
【０１１６】
具体的には、ステップＳ１１４ＲにおいてＮＯならば、制御部１６は、現時点のＣｎの値を、最新のＡｎの値に設定する。また、制御部１６は、現時点のＡｎの値と現時点のＢｎの値とを加算した値を、最新のＢｎの値に設定する。そして、再度、ステップＳ１１１Ｒの処理が行われる。
【０１１７】
ステップＳ１１４ＲでＹＥＳの場合は、過去から現在にわたり、Ｒグループにおいて飽和状態となったＬＤの個数がＮ１に等しい場合（式３を満たす場合）である。Ｎ１は、Ｒグループを構成するレーザー光源３０Ｒ（ＬＤ）の数である。すなわち、ステップＳ１１４ＲでＹＥＳの場合は、Ｒグループを構成するＮ１個のＬＤのうち、一度でも飽和ＬＤとなったＬＤの数が、Ｎ１と等しい場合である。
【０１１８】
一方、ステップＳ１１４ＲでＮＯの場合は、過去から現在にわたり、Ｒグループにおいて飽和状態となったＬＤの個数がＮ１と等しくない場合（Ｎｎ≠Ａｎ＋Ｂｎ＋Ｃｎの場合）である。すなわち、ステップＳ１１４ＲでＮＯの場合は、Ｒグループに含まれるＮ１個のＬＤのうち、一度でも飽和ＬＤとなったＬＤの数が、Ｎ１と等しくない場合である。すなわち、Ｎｎ≠Ａｎ＋Ｂｎ＋Ｃｎ（ｎ＝１）である限り、ステップＳ１１１Ｒの処理が繰り返される。
【０１１９】
なお、後述のステップＳ１１４ＧでＹＥＳの場合は、過去から現在にわたり、Ｇグループにおいて飽和状態となったＬＤの個数が、Ｎ２に等しい場合（式３を満たす場合）である。また、後述のステップＳ１１４ＢでＹＥＳの場合は、過去から現在にわたり、Ｂグループにおいて飽和状態となったＬＤの個数が、Ｎ３に等しい場合（式３を満たす場合）である。
【０１２０】
なお、ステップＳ１１４Ｒでは、上記処理に限定されず、以下の処理Ａが行われてもよい。処理Ａでは、制御部１６が、非飽和ＬＤ−ｎの数がゼロであるか否かを判定する。なお、ステップＳ１１４Ｒにおいて、非飽和ＬＤ−ｎのｎは１である。
【０１２１】
ステップＳ１１０Ｇでは、制御部１６が、最新の個数Ａ２に基づいて、飽和ＬＤがＧグループ（レーザー光源群３１Ｇ）に存在するか否かを判定する。すなわち、制御部１６は、飽和ＬＤ−２が存在するか否かを判定する。ステップＳ１１０ＧにおいてＹＥＳならば、処理はステップＳ１１１Ｇに移行する。一方、ステップＳ１１０ＧにおいてＮＯならば、処理は後述のステップＳ１１０Ｂに移行する。
【０１２２】
ステップＳ１１１Ｇでは、目標値低下処理Ｇが行われる。目標値低下処理Ｇは、前述の目標値低下処理Ｒにおいて、飽和ＬＤ−ｎを飽和ＬＤ−２に置き換えた処理と同様なので詳細な説明は繰り返さない。飽和ＬＤ−２は、前述したように、Ｇグループに含まれる飽和ＬＤである。
【０１２３】
ステップＳ１１２Ｇでは、目標値増加処理Ｇが行われる。目標値増加処理Ｇは、前述の目標値増加処理Ｒにおいて、非飽和ＬＤ−ｎおよび式２のｎを２とした処理と同様なので詳細な説明は繰り返さない。
【０１２４】
ステップＳ１１３Ｇでは、制御部１６が、現時点のＣ２が０であるか否かを判定する。ステップＳ１１３ＧにおいてＹＥＳならば、処理はステップＳ１１０Ｂに移行する。一方、ステップＳ１１３ＧにおいてＮＯならば、処理はステップＳ１１４Ｇに移行する。
【０１２５】
ステップＳ１１４Ｇでは、ステップＳ１１４Ｒの処理において、Ｎｎ、Ａｎ、ＢｎおよびＣｎのｎを２とした処理と同様な処理が行われるので詳細な説明は繰り返さない。
【０１２６】
ステップＳ１１４ＧにおいてＹＥＳならば、処理は後述のステップＳ１２０に移行する。一方、ステップＳ１１４ＧにおいてＮＯならば、制御部１６は、現時点のＣ２の値を、最新のＡ２の値に設定する。また、制御部１６は、現時点のＡ２の値と現時点のＢ２の値とを加算した値を、最新のＢ２の値に設定する。そして、再度、ステップＳ１１１Ｇの処理が行われる。
【０１２７】
なお、ステップＳ１１４Ｇでは、前述の処理Ａにおいてｎを２とした処理が行われてもよい。
【０１２８】
ステップＳ１１０Ｂでは、制御部１６が、最新の個数Ａ３に基づいて、飽和ＬＤがＢグループに存在するか否かを判定する。すなわち、制御部１６は、飽和ＬＤ−３が存在するか否かを判定する。ステップＳ１１０ＢにおいてＹＥＳならば、処理はステップＳ１１１Ｂに移行する。一方、ステップＳ１１０ＢにおいてＮＯならば、再度、ステップＳ１０１の処理が行われる。
【０１２９】
ステップＳ１１１Ｂでは、目標値低下処理Ｂが行われる。目標値低下処理Ｂは、前述の目標値低下処理Ｒにおいて、飽和ＬＤ−ｎを飽和ＬＤ−３に置き換えた処理と同様なので詳細な説明は繰り返さない。
【０１３０】
ステップＳ１１２Ｂでは、目標値増加処理Ｂが行われる。目標値増加処理Ｂは、前述の目標値増加処理Ｒにおいて、非飽和ＬＤ−ｎおよび式２のｎを３とした処理と同様なので詳細な説明は繰り返さない。
【０１３１】
ステップＳ１１３Ｂでは、制御部１６が、現時点のＣ３が０であるか否かを判定する。ステップＳ１１３ＢにおいてＹＥＳならば、再度、ステップＳ１０１の処理が行われる。一方、ステップＳ１１３ＢにおいてＮＯならば、処理はステップＳ１１４Ｂに移行する。
【０１３２】
ステップＳ１１４Ｂでは、ステップＳ１１４Ｒの処理において、Ｎｎ、Ａｎ、ＢｎおよびＣｎのｎを３とした処理と同様な処理が行われるので詳細な説明は繰り返さない。
【０１３３】
ステップＳ１１４ＢにおいてＹＥＳならば、処理はステップＳ１２０に移行する。一方、ステップＳ１１４ＢにおいてＮＯならば、制御部１６は、現時点のＣ３の値を、最新のＡ３の値に設定する。また、制御部１６は、現時点のＡ３の値と現時点のＢ３の値とを加算した値を、最新のＢ３の値に設定する。そして、再度、ステップＳ１１１Ｂの処理が行われる。
【０１３４】
なお、ステップＳ１１４Ｂでは、前述の処理Ａにおいてｎを３とした処理が行われてもよい。
【０１３５】
ステップＳ１１４Ｒ，Ｓ１１４Ｇ，Ｓ１１４ＢのいずれかでＹＥＳの場合、対応するグループ（例えば、Ｒグループ）の出射光量は、一定（目標光量）を保てなくなる。そのため、ステップＳ１２０の処理が行われる。
【０１３６】
ステップＳ１２０では、全体光量低下処理が行われる。全体光量低下処理は、全体光量目標値Ｐｗ（全体光量）を、当該ＰｗのＷ（％）だけ低下させる処理である。Ｗは、人間が、全体光量の低下を視認できない値に設定される。Ｗは、一例として、４である。
【０１３７】
全体光量低下処理では、Ｒ，Ｇ，Ｂグループの各々における、目標値ＰＤを、一律にＷ％低下させる。これにより、ＲＧＢ各色のバランス、すなわち、ホワイトバランスを保ちながら、全体光量（光Ｌ１ａの輝度）を下げる。
【０１３８】
以下においては、ＰＤ×Ｗ／１００で得られる値を、固定値ＸＣともいう。すなわち、全体光量低下処理は、Ｒ，Ｇ，Ｂグループの各々における各ＬＤの出射光量の目標値ＰＤを固定値ＸＣだけ低下させる処理である。
【０１３９】
具体的には、全体光量低下処理では、制御部１６が、全光量低下指示を、Ｒ，Ｇ，Ｂグループの各々を構成する各レーザー光源３０のマイコン４１へ送信する。全光量低下指示は、全てのＬＤの各々の出射光量の目標値ＰＤを、当該ＰＤのＷ（％）だけ低下させる指示である。全光量低下指示には、Ｗが示される。
【０１４０】
全光量低下指示を受信した全てのマイコン４１の各々は、以下の処理を行う。具体的には、マイコン４１は、当該マイコン４１が記憶している目標値ＰＤに、全光量低下指示が示すＷと、１／１００とを乗算することにより、固定値ＸＣを算出する。そして、マイコン４１は、当該マイコン４１が記憶している目標値ＰＤから固定値ＸＣだけ減算した値を、最新の目標値ＰＤとして記憶する。
【０１４１】
そして、マイコン４１は、該マイコン４１に対応するＬＤの出射光量が、当該最新目標値ＰＤになるようにレーザー駆動回路３を制御する。具体的には、マイコン４１は、レーザー駆動回路３がＬＤに流す駆動電流IＤを変化させるように当該レーザー駆動回路３を制御する。
【０１４２】
以上により、全体光量が、当該ＰｗのＷ（％）だけ低下する。そして、この全体光量低下処理は終了し、再度、ステップＳ１０１の処理が行われる。
【０１４３】
次に、図３を用いて、状態ＳＴ３の場合の処理について説明する。状態ＳＴ３では、前述の全体光量低下処理が行われたことにより、レーザー光源プロジェクター１００の状態は、前述の全体光量低下状態である。全体光量を低下させた後に、全体光量を増加させる処理は、以下のようにして行われる。
【０１４４】
ここで、例えば、外気温度が高いために、前述の全体光量低下処理が行われたとする。その後、外気温度が下がり、Ｒ，Ｇ，Ｂグループにおける全てのＬＤの駆動電流IＤが限界電流IＤＭＡＸ未満となったとする。すなわち、全てのＬＤの状態が飽和状態でないとする。この場合、ステップＳ１０２でＹＥＳと判定される。また、レーザー光源プロジェクター１００の状態は、全体光量低下状態であるため、ステップＳ１０３でＹＥＳと判定され、処理はステップＳ１０４に移行する。
【０１４５】
ステップＳ１０４では、全体光量増加処理が行われる。全体光量増加処理は、全体光量目標値Ｐｗ（全体光量）を、当該ＰｗのＹ（％）だけ増加（上昇）させる処理である。ＹはＷより小さい値に設定される。Ｙは、例えば、０．２５であるとする。
【０１４６】
以下においては、ＰＤ×Ｙ／１００で得られる値を、固定値ＸＤともいう。すなわち、全体光量増加処理は、Ｒ，Ｇ，Ｂグループの各々における各ＬＤの出射光量の目標値ＰＤを固定値ＸＤだけ増加させる処理である。
【０１４７】
具体的には、全体光量増加処理では、制御部１６が、全光量増加指示を、Ｒ，Ｇ，Ｂグループの各々を構成する各レーザー光源３０のマイコン４１へ送信する。全光量増加指示は、全てのＬＤの各々の出射光量の目標値ＰＤを、当該ＰＤのＹ（％）だけ増加させる指示である。全光量増加指示には、Ｙが示される。
【０１４８】
全光量増加指示を受信した全てのマイコン４１の各々は、以下の処理を行う。具体的には、マイコン４１は、当該マイコン４１が記憶している目標値ＰＤに、全光量増加指示が示すＹと、１／１００とを乗算することにより、固定値ＸＤを算出する。そして、マイコン４１は、当該マイコン４１が記憶している目標値ＰＤに固定値ＸＤを加算した値を、最新の目標値ＰＤとして記憶する。
【０１４９】
そして、マイコン４１は、該マイコン４１に対応するＬＤの出射光量が、当該最新目標値ＰＤになるようにレーザー駆動回路３を制御する。具体的には、マイコン４１は、レーザー駆動回路３がＬＤに流す駆動電流IＤを変化させるように当該レーザー駆動回路３を制御する。以上により、全体光量が、当該ＰｗのＹ（％）だけ増加する。
【０１５０】
なお、全体光量増加処理では、例えば、全体のＬＤのうち１個のＬＤの駆動電流IＤがIＤＭＡＸになるまで、Ｐｗを増加させるための上記の処理が繰り返し行われる。なお、この処理により、１個のＬＤの駆動電流IＤがIＤＭＡＸにならない場合、Ｐｗを、全体光量目標値Ｐｗの初期値にするための処理が行われてもよい。全体光量目標値Ｐｗの初期値とは、全体光量低下処理によりＰｗが低下されてない場合における、当該Ｐｗの値である。
【０１５１】
そして、この全体光量増加処理は終了し、再度、ステップＳ１０１の処理が行われる。
【０１５２】
次に、係数Ｌが１未満であり、レーザー光源プロジェクター１００の状態が低光量状態である場合の処理（以下、ホワイトバランス維持処理Ａともいう）について説明する。低光量状態は、各レーザー光源群３１の出射光量が定格出力ＴＧ未満であり、かつ、各ＬＤの出射光量が定格出力Ｔ以下の状態である。すなわち、低光量状態は、係数Ｌが、０＜Ｌ＜１の範囲の値である状態である。
【０１５３】
この場合、前述したように、レーザー光源プロジェクター１００の制御部１６は、各レーザー光源群３１を構成する複数のレーザー光源３０のうちの一部のレーザー光源３０を駆動させ、当該複数のレーザー光源のうち該一部のレーザー光源３０以外のレーザー光源３０を駆動させない。
【０１５４】
以下においては、駆動しているＬＤを、駆動ＬＤともいう。また、以下においては、駆動ＬＤを含むレーザー光源３０を、駆動レーザー光源ともいう。駆動レーザー光源は、駆動しているレーザー光源である。また、以下においては、飽和状態の駆動ＬＤを、飽和駆動ＬＤともいう。
【０１５５】
なお、前述したように、レーザー光源群３１における全ての駆動レーザー光源（駆動ＬＤ）の個数を、目標値ＰＤに乗算した値が、該レーザー光源群３１の目標光量となるように、目標値ＰＤの初期値は設定される。また、目標値ＰＤは、定格出力Ｔ以下に設定される。各レーザー光源群３１を構成する各レーザー光源３０のマイコン４１は、以上のように設定された目標値ＰＤを予め記憶している。
【０１５６】
ここで、Ｌが、一例として、０．５であるとする。また、Ｎ１，Ｎ２，Ｎ３の各々は、一例として、１０であるとする。また、定格出力Ｔは、定格出力ＴＧの０．１倍であるとする。
【０１５７】
この場合、各レーザー光源群３１の目標光量は、定格出力ＴＧの０．５倍の光量である。また、この場合、各レーザー光源群３１における駆動レーザー光源（駆動ＬＤ）の個数は、５である。すなわち、Ｎａ１，Ｎａ２，Ｎａ３の各々は、５である。また、この場合、各レーザー光源群３１における各駆動レーザー光源（駆動ＬＤ）の目標値ＰＤの初期値は、定格出力Ｔに設定される。
【０１５８】
なお、この場合、好ましくは、各レーザー光源群３１における駆動レーザー光源（駆動ＬＤ）の個数は、５以上である。すなわち、Ｎａ１，Ｎａ２，Ｎａ３の各々は、５以上である。また、この場合、好ましくは、各レーザー光源群３１における各駆動レーザー光源（駆動ＬＤ）の目標値ＰＤの初期値は、定格出力Ｔ以下に設定される。
【０１５９】
また、以下においては、Ｒグループに含まれる駆動ＬＤを、駆動ＬＤ−１とも表記する。また、以下においては、Ｇグループに含まれる駆動ＬＤを、駆動ＬＤ−２とも表記する。また、以下においては、Ｂグループに含まれる駆動ＬＤを、駆動ＬＤ−３とも表記する。また、以下においては、駆動ＬＤ−１，ＬＤ−２，ＬＤ−３の各々を、総括的に、駆動ＬＤ−ｎ（ｎ＝１〜３）とも表記する。
【０１６０】
また、以下においては、Ｒグループにおける駆動ＬＤ−１の個数を、Ｎａ１とも表記する。また、以下においては、Ｇグループにおける駆動ＬＤ−２の個数を、Ｎａ２とも表記する。また、以下においては、Ｂグループにおける駆動ＬＤ−３の個数を、Ｎａ３とも表記する。また、以下においては、Ｎａ１，Ｎａ２，Ｎａ３の各々を、総括的に、Ｎａｎ（ｎ＝１〜３）とも表記する。
【０１６１】
また、以下においては、レーザー光源プロジェクター１００における全ての飽和ＬＤの個数を、ＡａＸとも表記する。また、以下においては、Ｒグループにおける飽和駆動ＬＤの個数を、Ａａ１とも表記する。また、以下においては、Ｇグループにおける飽和駆動ＬＤの個数を、Ａａ２とも表記する。また、以下においては、Ｂグループにおける飽和駆動ＬＤの個数を、Ａａ３とも表記する。また、以下においては、Ａａ１，Ａａ２，Ａａ３の各々を、総括的に、Ａａｎ（ｎ＝１〜３）とも表記する。
【０１６２】
また、以下においては、Ｒグループに含まれる飽和駆動ＬＤを、飽和ＬＤ−１とも表記する。また、以下においては、Ｇグループに含まれる飽和駆動ＬＤを、飽和ＬＤ−２とも表記する。また、以下においては、Ｂグループに含まれる飽和駆動ＬＤを、飽和ＬＤ−３とも表記する。また、以下においては、飽和ＬＤ−１，ＬＤ−２，ＬＤ−３の各々を、総括的に、飽和ＬＤ−ｎ（ｎ＝１〜３）とも表記する。
【０１６３】
図４は、ホワイトバランス維持処理Ａのフローチャートである。図４において、図３のステップ番号と同じステップ番号の処理は、ホワイトバランス維持処理で説明した処理と同様な処理が行われるので詳細な説明は繰り返さない。以下、ホワイトバランス維持処理と異なる点を中心に説明する。
【０１６４】
ステップＳ１０１Ａでは、ＬＤ状態取得処理Ａが行われる。ＬＤ状態取得処理Ａは、ＬＤ状態取得処理において、ＬＤ、飽和ＬＤおよびレーザー光源３０を、それぞれ、駆動ＬＤ、飽和駆動ＬＤおよび駆動レーザー光源に置き換えた処理と同様なので詳細な説明は繰り返さない。
【０１６５】
ＬＤ状態取得処理Ａにより、制御部１６は、個数ＡａＸ，Ａａ１，Ａａ２，Ａａ３を把握するとともに、個数ＡａＸが１以上である場合、飽和駆動ＬＤを含む駆動レーザー光源を特定する。
【０１６６】
次に、ステップＳ１０２Ａにおいて、制御部１６は、飽和ＬＤ（飽和駆動ＬＤ）の個数ＡａＸがゼロ（０）であるか否かを判定する。ステップＳ１０２ＡにおいてＹＥＳならば、処理はステップＳ１１０ＲＡに移行する。一方、ステップＳ１０２ＡにおいてＮＯならば、処理はステップＳ１０３に移行する。
【０１６７】
ここで、一例として、個数ＡａＸおよびＡａ１が１以上であるとする。この場合、処理は、ステップＳ１１０ＲＡに移行する。
【０１６８】
ステップＳ１１０ＲＡでは、制御部１６が、最新の個数Ａａｎに基づいて、飽和ＬＤがＲグループに存在するか否かを判定する。すなわち、制御部１６が、飽和ＬＤ−ｎが存在するか否かを判定する。なお、ステップＳ１１０ＲＡにおいて、Ａａｎおよび飽和ＬＤ−ｎのｎは１である。ステップＳ１１０ＲＡにおいてＹＥＳならば、処理はステップＳ１１１Ｒに移行する。一方、ステップＳ１１０ＲＡにおいてＮＯならば、処理は後述のステップＳ１１０ＧＡに移行する。
【０１６９】
以下においては、Ｒグループにおける各駆動ＬＤのうち過去に飽和状態になった駆動ＬＤの個数を、Ｂａ１とも表記する。また、以下においては、Ｇグループにおける各駆動ＬＤのうち過去に飽和状態になった駆動ＬＤの個数を、Ｂａ２とも表記する。また、以下においては、Ｂグループにおける各駆動ＬＤのうち過去に飽和状態になった駆動ＬＤの個数を、Ｂａ３とも表記する。また、以下においては、Ｂａ１，Ｂａ２，Ｂａ３の各々を、総括的に、Ｂａｎ（ｎ＝１〜３）とも表記する。なお、Ｂａｎの初期値は０である。
【０１７０】
ステップＳ１１１Ｒでは、目標値低下処理Ｒが行われる。目標値低下処理Ｒは、図３の目標値低下処理Ｒと同様である。
【０１７１】
以下においては、過去から現在にわたって、一度も飽和状態になったことのない駆動ＬＤを、非飽和ＬＤともいう。
【０１７２】
前述のように、Ｒグループの非飽和ＬＤ、Ｇグループの非飽和ＬＤおよびＢグループの非飽和ＬＤを、それぞれ、非飽和ＬＤ−１，ＬＤ−２，ＬＤ−３と表記する。また、前述したように、非飽和ＬＤ−１，ＬＤ−２，ＬＤ−３の各々を、総括的に、非飽和ＬＤ−ｎ（ｎ＝１〜３）とも表記する。
【０１７３】
また、以下においては、非飽和ＬＤ−１の目標値ＰＤを増加させる割合を、Ｚａ１（％）とも表記する。また、以下においては、非飽和ＬＤ−２の目標値ＰＤを増加させる割合を、Ｚａ２（％）とも表記する。また、以下においては、非飽和ＬＤ−３の目標値ＰＤを増加させる割合を、Ｚａ３（％）とも表記する。また、以下においては、Ｚａ１，Ｚａ２，Ｚａ３の各々を、総括的に、Ｚａｎ（ｎ＝１〜３）とも表記する。
【０１７４】
ステップＳ１１２ＲＡでは、目標値増加処理ＲＡが行われる。目標値増加処理ＲＡは、非飽和ＬＤ−ｎの出射光量の目標値ＰＤを、当該ＰＤのＺａｎ（％）だけ増加させる処理である。なお、ステップＳ１１２ＲＡにおいて、非飽和ＬＤ−ｎのｎは１である。
【０１７５】
以下においては、ＰＤ×Ｚａｎ／１００で得られる値を、固定値ＸＢともいう。すなわち、目標値増加処理ＲＡは、非飽和ＬＤ−ｎの出射光量の目標値ＰＤを固定値ＸＢだけ増加させる処理である。Ｚａｎは、以下の式４により算出される。なお、ステップＳ１１２ＲＡにおいて、以下の式４のｎは１である。
【０１７６】
Ｚａｎ＝Ｘ×Ａａｎ／［Ｎａｎ−（Ａａｎ＋Ｂａｎ）］（ｎ＝１〜３）・・・（式４）
具体的には、目標値増加処理ＲＡでは、制御部１６が、前述の式４より、Ｚａｎを算出する。そして、制御部１６は、光量増加指示を、非飽和ＬＤ−ｎを含む全てのレーザー光源３０のマイコン４１へ送信する。光量増加指示は、最新の全ての非飽和ＬＤ−ｎの各々の出射光量の目標値ＰＤを、当該ＰＤのＺａｎ（％）だけ増加させる指示である。光量増加指示には、算出されたＺａｎが示される。
【０１７７】
光量増加指示を受信した全てのマイコン４１の各々は、以下の光量増加処理Ａを行う。光量増加処理Ａは、前述の光量増加処理においてＺｎをＺａｎに置き換えた処理と同様なので詳細な説明は繰り返さない。
【０１７８】
以下においては、目標値増加処理ＲＡが行われた直後に、Ｒグループにおいて新たに飽和状態となった駆動ＬＤの数を、Ｃａ１とも表記する。また、以下においては、後述の目標値増加処理ＧＡが行われた直後に、Ｇグループにおいて新たに飽和状態となった駆動ＬＤの数を、Ｃａ２とも表記する。また、以下においては、後述の目標値増加処理ＢＡが行われた直後に、Ｂグループにおいて新たに飽和状態となった駆動ＬＤの数を、Ｃａ３とも表記する。また、以下においては、Ｃａ１，Ｃａ２，Ｃａ３の各々を、総括的に、Ｃａｎ（ｎ＝１〜３）とも表記する。
【０１７９】
ステップＳ１１３ＲＡでは、制御部１６が、現時点のＣａ１が０であるか否かを判定する。ステップＳ１１３ＲＡにおいてＹＥＳならば、処理はステップＳ１１０ＧＡに移行する。一方、ステップＳ１１３ＲＡにおいてＮＯならば、処理はステップＳ１１４ＲＡに移行する。
【０１８０】
ステップＳ１１４ＲＡでは、制御部１６が、現時点のＡａｎ，Ｂａｎ，Ｃａｎを用いて、以下の式５が満たされるか否かを判定する。なお、ステップＳ１１４ＲＡにおけるＮａｎ，Ａａｎ，Ｂａｎ，Ｃａｎのｎは、１である。
【０１８１】
Ｎａｎ＝Ａａｎ＋Ｂａｎ＋Ｃａｎ（ｎ＝１〜３）  ・・・（式５）
ステップＳ１１４ＲＡにおいてＹＥＳならば、処理はステップＳ１１５ＲＡに移行する。一方、ステップＳ１１４ＲＡにおいてＮＯならば、制御部１６は、現時点のＣａｎの値を、最新のＡａｎの値に設定する。また、制御部１６は、現時点のＡａｎの値と現時点のＢａｎの値とを加算した値を、最新のＢａｎの値に設定する。そして、再度、ステップＳ１１１Ｒの処理が行われる。
【０１８２】
ステップＳ１１４ＲＡでＹＥＳの場合は、過去から現在にわたり、Ｒグループにおいて飽和状態となった駆動ＬＤの個数がＮａ１に等しい場合（式５を満たす場合）である。また、ステップＳ１１４ＲＡでＹＥＳの場合は、Ｒグループの出射光量が、一定を保てなくなった場合である。
【０１８３】
なお、レーザー光源プロジェクター１００の状態が低光量状態であって、出射光量が一定を保てなくなった場合、図３の処理のように即座に全体光量低下処理を行わず、後述のように予備のＬＤが存在するか確認する。
【０１８４】
なお、ステップＳ１１４ＲＡでは、上記処理に限定されず、以下の処理Ａが行われてもよい。処理Ａでは、制御部１６が、非飽和ＬＤ−ｎの数がゼロであるか否かを判定する。なお、ステップＳ１１４ＲＡにおいて、非飽和ＬＤ−ｎのｎは１である。
【０１８５】
以下においては、駆動していないＬＤを非駆動ＬＤともいう。また、以下においては、Ｒグループに含まれる非駆動ＬＤを、非駆動ＬＤ−１とも表記する。また、以下においては、Ｇグループに含まれる非駆動ＬＤを、非駆動ＬＤ−２とも表記する。また、以下においては、Ｂグループに含まれる非駆動ＬＤを、非駆動ＬＤ−３とも表記する。また、以下においては、非駆動ＬＤ−１，ＬＤ−２，ＬＤ−３の各々を、総括的に、非駆動ＬＤ−ｎ（ｎ＝１〜３）とも表記する。また、以下においては、非駆動ＬＤ−ｎを、予備ＬＤともいう。非駆動ＬＤ−ｎは、光を出射しない。
【０１８６】
ステップＳ１１５ＲＡでは、制御部１６が、予備ＬＤである非駆動ＬＤ−ｎが存在するか否かを判定する。なお、ステップＳ１１５ＲＡにおける非駆動ＬＤ−ｎのｎは１である。ステップＳ１１５ＲＡにおいてＹＥＳならば、処理は後述のステップＳ１３０に移行する。一方、ステップＳ１１５ＲＡにおいてＮＯならば、処理はステップＳ１２０に移行する。
【０１８７】
ステップＳ１１０ＧＡでは、制御部１６が、最新の個数Ａａ２に基づいて、飽和ＬＤがＧグループに存在するか否かを判定する。すなわち、制御部１６が、飽和ＬＤ−２が存在するか否かを判定する。ステップＳ１１０ＧＡにおいてＹＥＳならば、処理はステップＳ１１１Ｇに移行する。一方、ステップＳ１１０ＧＡにおいてＮＯならば、処理は後述のステップＳ１１０ＢＡに移行する。
【０１８８】
ステップＳ１１１Ｇでは、目標値低下処理Ｇが行われる。目標値低下処理Ｇは、図３の目標値低下処理Ｇと同様である。
【０１８９】
ステップＳ１１２ＧＡでは、目標値増加処理ＧＡが行われる。目標値増加処理ＧＡは、前述の目標値増加処理ＲＡにおいて、Ｚａｎ、非飽和ＬＤ−ｎおよび式４のｎを２とした処理と同様なので詳細な説明は繰り返さない。
【０１９０】
ステップＳ１１３ＧＡでは、制御部１６が、現時点のＣａ２が０であるか否かを判定する。ステップＳ１１３ＧＡにおいてＹＥＳならば、処理はステップＳ１１０ＢＡに移行する。一方、ステップＳ１１３ＧＡにおいてＮＯならば、処理はステップＳ１１４ＧＡに移行する。
【０１９１】
ステップＳ１１４ＧＡでは、ステップＳ１１４ＲＡの処理において、Ｎａｎ、Ａａｎ、ＢａｎおよびＣａｎのｎを２とした処理と同様な処理が行われるので詳細な説明は繰り返さない。
【０１９２】
ステップＳ１１４ＧＡにおいてＹＥＳならば、処理はステップＳ１１５ＧＡに移行する。一方、ステップＳ１１４ＧＡにおいてＮＯならば、制御部１６は、現時点のＣａ２の値を、最新のＡａ２の値に設定する。また、制御部１６は、現時点のＡａ２の値と現時点のＢａ２の値とを加算した値を、最新のＢａ２の値に設定する。そして、再度、ステップＳ１１１Ｇの処理が行われる。
【０１９３】
なお、ステップＳ１１４ＧＡでは、前述の処理Ａにおいてｎを２とした処理が行われてもよい。
【０１９４】
ステップＳ１１５ＧＡでは、制御部１６が、予備ＬＤである非駆動ＬＤ−２が存在するか否かを判定する。ステップＳ１１５ＧＡにおいてＹＥＳならば、処理は後述のステップＳ１３０に移行する。一方、ステップＳ１１５ＧＡにおいてＮＯならば、処理はステップＳ１２０に移行する。
【０１９５】
ステップＳ１１０ＢＡでは、制御部１６が、最新の個数Ａａ３に基づいて、飽和ＬＤがＢグループに存在するか否かを判定する。すなわち、制御部１６が、飽和ＬＤ−３が存在するか否かを判定する。ステップＳ１１０ＢＡにおいてＹＥＳならば、処理はステップＳ１１１Ｂに移行する。一方、ステップＳ１１０ＢＡにおいてＮＯならば、再度、ステップＳ１０１Ａの処理が行われる。
【０１９６】
ステップＳ１１１Ｂでは、目標値低下処理Ｂが行われる。目標値低下処理Ｂは、図３の目標値低下処理Ｂと同様である。
【０１９７】
ステップＳ１１２ＢＡでは、目標値増加処理ＢＡが行われる。目標値増加処理ＢＡは、前述の目標値増加処理ＲＡにおいて、Ｚａｎ、非飽和ＬＤ−ｎおよび式４のｎを３とした処理と同様なので詳細な説明は繰り返さない。
【０１９８】
ステップＳ１１３ＢＡでは、制御部１６が、現時点のＣａ３が０であるか否かを判定する。ステップＳ１１３ＢＡにおいてＹＥＳならば、再度、ステップＳ１０１Ａの処理が行われる。一方、ステップＳ１１３ＢＡにおいてＮＯならば、処理はステップＳ１１４ＢＡに移行する。
【０１９９】
ステップＳ１１４ＢＡでは、ステップＳ１１４ＲＡの処理において、Ｎａｎ、Ａａｎ、ＢａｎおよびＣａｎのｎを３とした処理と同様な処理が行われるので詳細な説明は繰り返さない。
【０２００】
ステップＳ１１４ＢＡにおいてＹＥＳならば、処理はステップＳ１１５ＢＡに移行する。一方、ステップＳ１１４ＢＡにおいてＮＯならば、制御部１６は、現時点のＣａ３の値を、最新のＡａ３の値に設定する。また、制御部１６は、現時点のＡａ３の値と現時点のＢａ３の値とを加算した値を、最新のＢａ３の値に設定する。そして、再度、ステップＳ１１１Ｂの処理が行われる。
【０２０１】
なお、ステップＳ１１４ＢＡでは、前述の処理Ａにおいてｎを３とした処理が行われてもよい。
【０２０２】
ステップＳ１１５ＢＡでは、制御部１６が、予備ＬＤである非駆動ＬＤ−３が存在するか否かを判定する。ステップＳ１１５ＢＡにおいてＹＥＳならば、処理は後述のステップＳ１３０に移行する。一方、ステップＳ１１５ＢＡにおいてＮＯならば、処理はステップＳ１２０に移行する。
【０２０３】
ここで、ＬＤ（レーザー素子５）の寿命について説明する。以下においては、はじめて駆動させたＬＤ（レーザー素子５）の出射光量を、初期光量ともいう。また、以下においては、初期光量のＳ（０＜Ｓ＜１を満たす実数）倍の光量を、寿命光量ともいう。Ｓは、例えば、０．４〜０．７の範囲の値である。
【０２０４】
ＬＤの寿命とは、駆動しているＬＤの出射光量が、初期光量から寿命光量になるまでの時間である。なお、本実施の形態では、出射光量が寿命光量になったＬＤ（レーザー素子５）を、寿命がつきたＬＤと定義する。
【０２０５】
また、以下においては、ＬＤの寿命がつきた当該ＬＤを、寿命ＬＤともいう。なお、寿命ＬＤは、寿命に達したＬＤともいう。また、以下においては、寿命ＬＤ（レーザー素子５）の温度を、寿命温度ともいう。寿命温度は、駆動電流IＤが限界電流IＤＭＡＸであるＬＤ（レーザー素子５）の温度より低い温度である。
【０２０６】
また、寿命ＬＤを含むレーザー光源３０または駆動レーザー光源を、寿命がつきたレーザー光源と定義する。以下においては、寿命がつきたレーザー光源を、寿命レーザー光源ともいう。
【０２０７】
再び、図４を参照して、ステップＳ１３０では、制御部１６が、寿命ＬＤが存在するか否かを判定する。具体的には、制御部１６が、駆動ＬＤ−ｎを含む全ての駆動レーザー光源の各々のマイコン４１へ、目標値要求指示を送信する。目標値要求指示は、マイコン４１が記憶している目標値ＰＤを要求する指示である。なお、ステップＳ１１５ＲＡでＹＥＳと判定されて、ステップＳ１３０が行われる場合、駆動ＬＤ−ｎおよび後述のＮａｎのｎは１である。
【０２０８】
目標値要求指示を受信した全てのマイコン４１の各々は、以下の処理を行う。具体的には、マイコン４１は、当該マイコン４１が記憶している目標値ＰＤを制御部１６へ送信する。
【０２０９】
これにより、制御部１６は、駆動ＬＤ−ｎを含む全ての駆動レーザー光源のマイコン４１から、目標値ＰＤを受信する。すなわち、制御部１６は、Ｎａｎ個の目標値ＰＤを受信する。以下においては、Ｎａｎ個の目標値ＰＤのうち、最も小さい目標値ＰＤを、最小目標値ＰＤともいう。
【０２１０】
なお、ｎが１である場合、制御部１６は、ＲグループにおけるＮａ１個の駆動レーザー光源のマイコン４１から、Ｎａ１個の目標値ＰＤを受信する。
【０２１１】
そして、制御部１６は、最小目標値ＰＤを送信したマイコン４１が制御している駆動ＬＤ−ｎを選択する。以下においては、選択された駆動ＬＤ−ｎを、選択駆動ＬＤ−ｎともいう。また、以下においては、選択駆動ＬＤ−ｎを含む駆動レーザー光源を、選択駆動レーザー光源ともいう。
【０２１２】
そして、制御部１６は、選択駆動ＬＤ−ｎの素子温度Ｔｊを、選択駆動レーザー光源のマイコン４１から取得する。制御部１６は、取得した素子温度Ｔｊが正常であるか否かを判定する。
【０２１３】
具体的には、制御部１６は、取得した素子温度Ｔｊが前述の寿命温度であるか否かを判定する。制御部１６は、素子温度Ｔｊが寿命温度以下である場合、選択駆動ＬＤ−ｎの寿命がつきた（寿命ＬＤが存在する）と判定する。この場合、ステップＳ１３０でＹＥＳと判定される。
【０２１４】
一方、制御部１６は、素子温度Ｔｊが寿命温度より大きい場合、選択駆動ＬＤ−ｎの寿命がつきていない（寿命ＬＤが存在しない）と判定する。この場合、ステップＳ１３０でＮＯと判定される。ステップＳ１３０においてＹＥＳならば、処理はステップＳ１３１に移行する。一方、ステップＳ１３０においてＮＯならば、処理はステップＳ１２０に移行する。
【０２１５】
なお、ステップＳ１１５ＧＡでＹＥＳと判定されて、ステップＳ１３０が行われる場合、前述のステップＳ１３０における駆動ＬＤ−ｎおよびＮａｎのｎは２である。また、ステップＳ１１５ＢＡでＹＥＳと判定されて、ステップＳ１３０が行われる場合、前述のステップＳ１３０における駆動ＬＤ−ｎおよびＮａｎのｎは３である。
【０２１６】
ステップＳ１３１では、光源切替え処理が行われる。光源切替え処理では、制御部１６は、選択駆動ＬＤ−ｎ（寿命ＬＤ）を停止させるよう、選択駆動レーザー光源のマイコン４１を制御する。
【０２１７】
次に、制御部１６は、予備ＬＤである１個の非駆動ＬＤ−ｎを駆動させるよう、選択駆動レーザー光源のマイコン４１を制御する。すなわち、駆動対象のＬＤを寿命ＬＤから予備ＬＤに切替える。これにより、当該予備ＬＤ（非駆動ＬＤ−ｎ）は駆動する。なお、駆動している予備ＬＤを含むレーザー光源３０は、駆動しているレーザー光源である。
【０２１８】
なお、ステップＳ１１５ＲＡでＹＥＳと判定されて、ステップＳ１３０が行われる場合、光源切替え処理におけるＮａｎ、選択駆動ＬＤ−ｎおよび非駆動ＬＤ−ｎのｎは１である。また、ステップＳ１１５ＧＡでＹＥＳと判定されて、ステップＳ１３０が行われる場合、光源切替え処理におけるＮａｎ、選択駆動ＬＤ−ｎおよび非駆動ＬＤ−ｎのｎは２である。また、ステップＳ１１５ＢＡでＹＥＳと判定されて、ステップＳ１３０が行われる場合、光源切替え処理におけるＮａｎ、選択駆動ＬＤ−ｎおよび非駆動ＬＤ−ｎのｎは３である。
【０２１９】
そして、制御部１６は、予備ＬＤおよび寿命ＬＤの各々を特定する情報（例えば、識別名）を記憶する。すなわち、制御部１６は、Ｒ，Ｇ，Ｂのグループ毎に、切り替えたＬＤ（予備ＬＤ）および切り替えの対象となったＬＤ（寿命ＬＤ）を記憶する。
【０２２０】
また、制御部１６は、選択駆動ＬＤ−ｎを含むグループ（例えば、Ｒグループ）に対応づけて、当該グループを対象として光源切替え処理が行われた回数（以下、切り替え回数ＣＨともいう）を記憶する。そして、再度、ステップＳ１０１Ａの処理が行われる。
【０２２１】
各グループ内のＬＤの数は、Ｎｎ個であるため、各グループにおいて、光源切替え処理は、（Ｎｎ−Ｎａｎ−１）回行われる。すなわち、各グループにおいて、駆動対象のＬＤを寿命ＬＤから予備ＬＤに切替える処理は、（Ｎｎ−Ｎａｎ−１）回行われる。
【０２２２】
このように、各グループ内のＬＤの寿命がつきた場合、駆動対象のＬＤを寿命ＬＤから予備ＬＤに切替える処理が繰り返される。また、各グループ内のＬＤの個数と、切り替え回数ＣＨを記憶することにより、各グループにおいて存在する予備ＬＤの数を把握できる。
【０２２３】
ここで、例えば、Ｒグループに、２個の寿命ＬＤと、２個以上の非駆動ＬＤ−ｎとが存在するとする。この場合、ホワイトバランス維持処理Ａにより、光源切替え処理が２回行われる。すなわち、制御部１６は、駆動させていないレーザー光源（非駆動ＬＤ−ｎ）の数が２以上である場合、光源切替え処理を繰り返し行う。つまり、制御部１６は、駆動させていないレーザー光源３０（非駆動ＬＤ−ｎ）の数に基づいて、光源切替え処理を繰り返し行う。
【０２２４】
なお、ステップＳ１３０，Ｓ１３１が行われることにより、制御部１６が、駆動しているＮａｎ個のレーザー光源３０において寿命がつきたレーザー光源３０が存在する場合、当該寿命がつきたレーザー光源３０の代わりに、駆動させていないレーザー光源３０を駆動させる。
【０２２５】
また、ステップＳ１１５ＲＡ，Ｓ１１５ＧＡ，Ｓ１１５ＢＡのいずれかでＮＯの場合、ステップＳ１２０の処理が行われる。また、光源切替え処理が（Ｎｎ−Ｎａｎ−１）回行われた後に、ステップＳ１１５ＲＡ，Ｓ１１５ＧＡ，Ｓ１１５ＢＡのいずれかでＮＯの場合、対応するグループ（例えば、Ｒグループ）において駆動しているＮａｎ個のＬＤの出射光量は、一定を保てなくなる。この場合、ステップＳ１２０の処理が行われる。
【０２２６】
ステップＳ１２０の処理は前述したので詳細な説明は繰り返さない。
【０２２７】
なお、前述のステップＳ１３１では、光源切替え処理の代わりに以下の光源切替え処理Ａが行われてもよい。
【０２２８】
図５は、光源切替え処理Ａのフローチャートである。
【０２２９】
ステップＳ２１０では、目標値低下処理Ｎが行われる。目標値低下処理Ｎは、寿命ＬＤの出射光量の目標値ＰＤを、当該ＰＤのＶ（％）だけ低下させる処理である。目標値低下処理Ｎは、図３の目標値低下処理Ｒにおける飽和ＬＤ−ｎおよびＸを、それぞれ、寿命ＬＤおよびＶに置き換えた処理と同様なので詳細な説明は繰り返さない。目標値低下処理Ｎにより、寿命ＬＤの出射光量が低下する。
【０２３０】
ステップＳ２２０では、目標値増加処理Ｎが行われる。目標値増加処理Ｎは、制御部１６が予備ＬＤを駆動させた後、当該予備ＬＤの出射光量の目標値ＰＤを、当該ＰＤのＶ（％）だけ増加させる処理である。
【０２３１】
目標値増加処理Ｎは、図３の目標値増加処理Ｒにおける非飽和ＬＤ−ｎおよびＺｎを、それぞれ、予備ＬＤおよびＶに置き換えた処理であるので詳細な説明は繰り返さない。目標値増加処理Ｎにより、予備ＬＤの出射光量が増加する。
【０２３２】
ステップＳ２３０では、制御部１６は、予備ＬＤを含む駆動レーザー光源のマイコン４１と通信することにより、予備ＬＤの出射光量が目標値ＰＤになったか否かを判定する。ステップＳ２３０において、ＹＥＳならば、この光源切替え処理Ａは終了する。一方、ステップＳ２３０においてＮＯならば、再度、ステップＳ２１０の処理が行われる。すなわち、予備ＬＤの出射光量が目標値ＰＤになるまで光源切替え処理Ａは行われる。
【０２３３】
図６は、複数のＬＤを利用した従来の装置の経年変化におけるＬＤの電流の特性を示す図である。以下においては、複数のＬＤを利用した従来の装置を、従来装置Ｊともいう。従来装置Ｊは、例えば、図１のように複数のレーザー光源を含む装置であって、かつ、図４の処理を行わない装置である。
【０２３４】
図６において、横軸は経過時間を示す。縦軸は、従来装置Ｊに含まれる全てのＬＤに流れる駆動電流の総和（以下、総和電流ともいう）を示している。
【０２３５】
従来装置Ｊは、１個または複数個のＬＤ（光源）の経年変化による劣化が原因で出射光量（光出力）が低下した場合、ホワイトバランスの補正を行う。この際、従来装置Ｊは、出射光量が低下した分、グループ内の他の正常なＬＤの出射光量を増加させることにより、出射光量の低下分を補う。
【０２３６】
ここで、従来装置Ｊにおける各ＬＤの初期状態の電流値の総和をＩＤ０とする。また、従来装置Ｊは、ＬＤの出射光量を増加させることによるホワイトバランスの補正を繰り返して行う。これにより、グループ内の全てのＬＤにおいて、ＩＤ≧ＩＤＭＡＸとなった状態での総和電流はＩＤ１となる。すなわち、従来装置Ｊでは、時間経過によりＬＤが劣化する毎に、他の正常なＬＤの出射光量を増加させる為、総和電流は増加していく傾向となっている。
【０２３７】
図７は、本発明の実施の形態に係るレーザー光源プロジェクター１００の経年変化におけるＬＤの電流の特性を示す図である。すなわち、図７は、各レーザー光源群３１の出射光量を、定格出力ＴＧのＫ％で継続して使用した場合における電流の特性を示す図である。図７の縦軸は、レーザー光源プロジェクター１００に含まれる全ての駆動ＬＤの駆動電流の総和（以下、総和電流ともいう）を示している。
【０２３８】
レーザー光源プロジェクター１００は、１個または複数個のＬＤの経年変化による劣化が原因で出射光量（光出力）が低下した場合、図４の処理により、ホワイトバランスの補正を行う。この際、レーザー光源プロジェクター１００は、出射光量が低下した分、グループ内の他の正常なＬＤの出射光量を増加させることにより、出射光量の低下分を補う。
【０２３９】
しかしながら、レーザー光源プロジェクター１００は、Ｌ（Ｋ／１００）が１未満の場合、低光量状態で動作する。低光量状態は、前述したように、各レーザー光源群３１の出射光量が定格出力ＴＧ未満であり、かつ、各ＬＤの出射光量が定格出力Ｔ以下の状態である。なお、レーザー光源プロジェクター１００は、各レーザー光源群３１の出射光量が定格出力ＴＧのＫ％である低光量状態である場合、補正するＬＤの個数を、約Ｋ％に制限している。この場合、レーザー光源プロジェクター１００において、他の正常なＬＤは光を出射しない。
【０２４０】
レーザー光源プロジェクター１００における各ＬＤの初期状態の電流値の総和は、ＩＤ０２である。レーザー光源プロジェクター１００では、出射光量（光出力）を増加させるＬＤの個数が、グループを構成する各ＬＤの個数の約Ｋ％となる。そのため、ＬＤの個数を、グループを構成する各ＬＤの個数のＫ％とした場合、ＩＤ０２は、以下の式６で表される。
【０２４１】
ＩＤ０２＝ＩＤ０／（Ｋ／１００）  …（式６）
レーザー光源プロジェクター１００は、出射光量を増加させることによるホワイトバランスの補正を繰り返して行う。これにより、Ｒ，Ｇ，Ｂグループ内の全てのＬＤにおいて、ＩＤ≧ＩＤＭＡＸとなった状態での総和電流はＩＤ２となる。
【０２４２】
すなわち、レーザー光源プロジェクター１００では、グループ内で駆動させるＬＤの個数を、当該グループを構成するＬＤの個数のＫ％にしている。そのため、ＩＤ２は、以下の式７で表される。
【０２４３】
ＩＤ２＝ＩＤ１×Ｋ／１００  …（式７）
以下においては、グループ内で駆動させるＬＤの個数の割合を、当該グループの全てのＬＤの個数のＫ％とした場合における、各ＬＤの初期状態の総和電流を、ＩＤ０Ｋとも表記する。なお、グループ内の全てのＬＤを駆動させた場合における、各ＬＤの初期状態の電流値の総和は、ＩＤ０である。
【０２４４】
一般的に、ＩＤ０Ｋは、ＩＤ０の約（１／Ｋ）×１００倍である。そのため、ＩＤ０Ｋは、以下の式８で表される。
【０２４５】
ＩＤ０Ｋ＝（１／Ｋ）×１００×ＩＤ０  …（式８）
以下においては、グループ内で駆動させるＬＤの個数の割合を、当該グループの全てのＬＤのＫ％とした場合において、当該全てのＬＤが飽和状態となった状態で各ＬＤを駆動するために電源が供給する電流の総和を、ＩＤＫとも表記する。また、以下においては、グループ内の全てのＬＤを駆動させた場合において、当該全てのＬＤが飽和状態となった状態で各ＬＤを駆動するだめに電源が供給する電流の総和を、ＩＤ１とも表記する。
【０２４６】
この場合、ＩＤＫは、ＩＤ１の約Ｋ／１００倍である。そのため、ＩＤＫは、以下の式９で表される。
【０２４７】
ＩＤＫ＝ＩＤ１×Ｋ／１００  …（式９）
以上により、レーザー光源プロジェクター１００は、最大電力についても、約Ｋ／１００倍に抑えることが可能となる。
【０２４８】
以上説明したように、本実施の形態によれば、制御部１６は、定格出力ＴＧのＬ（０＜Ｌ≦１）倍の目標光量の光を、複数のレーザー光源３０から構成されるレーザー光源群３１が出射するように、該複数のレーザー光源３０のうちＬに対応する個数のレーザー光源３０を駆動させる。定格出力ＴＧは、複数のレーザー光源３０から構成されるレーザー光源群３１が出射可能な光の定格の光量である。
【０２４９】
すなわち、レーザー光源群３１は、定格出力ＴＧのＬ（０＜Ｌ≦１）倍の目標光量の光を出射するように駆動する。そのため、レーザー光源群３１の劣化速度が大幅にはやくなることを防ぐことができる。これにより、レーザー光源群３１が出射する光の光量の大幅な低下を抑制することができる。
【０２５０】
また、本実施の形態によれば、制御部１６は、条件Ａを満たしつつ、さらに、前述の光Ｌ１ａが基準ホワイトバランスを満たすように、レーザー光源群３１Ｒ，３１Ｇ，３１Ｂの各々を構成する複数のレーザー光源３０のうち係数Ｌに対応する個数のレーザー光源３０を駆動させる。条件Ａは、各レーザー光源群３１が目標光量の光を出射するという条件である。これにより、適切なホワイトバランスを維持することができる。
【０２５１】
また、本実施の形態によれば、係数Ｌが１未満の場合、レーザー光源プロジェクター１００の制御部１６は、各レーザー光源群３１を構成する複数のレーザー光源３０のうちの一部のレーザー光源３０を駆動させ、当該複数のレーザー光源のうち該一部のレーザー光源３０以外のレーザー光源３０を駆動させない。これにより、レーザー光源プロジェクター１００のレーザー光源プロジェクター１００の消費電力を抑制しつつ、適切なホワイトバランスを維持することができる。すなわち、低消費電力で適切なホワイトバランスを維持することができる。
【０２５２】
また、本実施の形態によれば、制御部１６が、駆動しているＮａｎ個のレーザー光源３０において寿命がつきたレーザー光源３０が存在する場合、当該寿命がつきたレーザー光源３０の代わりに、駆動させていないレーザー光源３０を駆動させる。これにより、レーザー光源プロジェクター１００を長寿命化することができる。
【０２５３】
また、本実施の形態によれば、ある１つのレーザー光源に欠陥が存在していた場合、駆動している他のレーザー光源で光出力の低下を行う処理、または、駆動させていないレーザー光源と切替える処理を行う。そのため、レーザー光源プロジェクター１００が出射する光の光量が、非常に短期間で大幅に低下することを抑制することができる。
【０２５４】
なお、従来のレーザー光源プロジェクターでは、駆動させている複数のレーザー光源の全てをホワイトバランスの補正に使用した場合、光量が低くても、全てのレーザー光源が飽和するまで消費電力が徐々に上がり続ける。その結果、最大消費電力に至ってしまうという問題がある。
【０２５５】
しかしながら、本実施の形態のレーザー光源プロジェクター１００は、上記の構成を有するため、上記の問題を解決することができる。
【０２５６】
なお、ステップＳ１３１の光源切替え処理が行われる場合は、前述したように、寿命ＬＤが存在する場合に限定されない。
【０２５７】
例えば、各グループ内の全てのＬＤが飽和状態になった場合に、光源切替え処理を行う構成としてもよい。また、例えば、各グループ内の飽和状態のＬＤの個数がＮ−１個になった場合に、光源切替え処理を行う構成としてもよい。また、例えば、低下した全体光量が規定値以下またはユーザーの設定値になった場合に、光源切替え処理を行う構成としてもよい。
【０２５８】
なお、レーザー光源プロジェクター１００は、３組のレーザー光源群３１を含むとしたがこれに限定されない。例えば、レーザー光源プロジェクター１００は、１組のレーザー光源群３１を含む構成としてもよい。この構成の場合、当該１組のレーザー光源群３１は、例えば、複数のレーザー光源３０Ｒ，３０Ｇ，３０Ｂを利用して、白色の光を出射する構成とされる。
【０２５９】
（その他の変形例）
以上、本発明に係るレーザー光源プロジェクターについて、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０２６０】
また、レーザー光源プロジェクター１００またはレーザー光源３０は、図１または図２に示される全ての構成要素を含まなくてもよい。すなわち、レーザー光源プロジェクター１００またはレーザー光源３０は、本発明の効果を実現できる最小限の構成要素のみを含めばよい。
【０２６１】
また、本発明は、レーザー光源プロジェクター１００が備える特徴的な構成部の動作をステップとするホワイトバランス維持方法として実現してもよい。また、本発明は、当該ホワイトバランス維持方法に含まれる各ステップをコンピュータが実行してもよい。また、本発明は、そのようなホワイトバランス維持方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２６２】
上記実施の形態で用いた全ての数値は、本発明を具体的に説明するための一例の数値である。すなわち、本発明は、上記実施の形態で用いた各数値に制限されない。
【０２６３】
また、本発明に係るホワイトバランス維持方法は、図３または図４のフローチャートの一部または全てに相当する。本発明に係るホワイトバランス維持方法は、図３または図４における、対応する全てのステップを必ずしも含む必要はない。すなわち、本発明に係るホワイトバランス維持方法は、本発明の効果を実現できる最小限のステップのみを含めばよい。
【０２６４】
また、ホワイトバランス維持方法における各ステップの実行される順序は、本発明を具体的に説明するための一例であり、上記以外の順序であってもよい。また、ホワイトバランス維持方法におけるステップの一部と、他のステップとは、互いに独立して並列に実行されてもよい。
【０２６５】
なお、本発明は、その発明の範囲内において、実施の形態を適宜、変形、省略することが可能である。
【符号の説明】
【０２６６】
３  レーザー駆動回路、５  レーザー素子、１６  制御部、１９  光合成部、２０  映像形成部、３０，３０Ｂ，３０Ｇ，３０Ｒ  レーザー光源、３１，３１Ｂ，３１Ｇ，３１Ｒ  レーザー光源群、４１  マイコン、１００  レーザー光源プロジェクター。
【図１】
2014174239.tif 000003
【図２】
2014174239.tif 000004
【図３】
2014174239.tif 000005
【図４】
2014174239.tif 000006
【図５】
2014174239.tif 000007
【図６】
2014174239.tif 000008
【図７】
2014174239.tif 000009